(57)【要約】  空気調和機の風向変更装置は、開口を形成する矩形状の枠体と、枠体の開口内において並列して配置された複数の左右風向板と、複数の左右風向板を連結する連結板と、を備え、左右風向板は、端部風向板と、端部風向板の間に配置される１つ又は複数の中央風向板と、を有し、端部風向板は、端部前面風向板と、端部前面風向板と回動自在に連結されており端部前面風向板の回動する方向とは逆方向に回動する端部背面風向板と、を有し、中央風向板は、中央前面風向板と、中央前面風向板と回動自在に連結されており中央前面風向板の回動する方向とは逆方向に回動する中央背面風向板と、を有し、連結板は、端部前面風向板と、端部背面風向板と、中央前面風向板と、中央背面風向板と係合して回動させ、端部前面風向板の回動する角度が、中央前面風向板の回動する角度より小さく、端部背面風向板の回動する角度が、中央背面風向板の回動する角度より小さいものである。
2019008666.tif 000002
【特許請求の範囲】
【請求項１】
上部枠体と、下部枠体と、左部枠体と、右部枠体とから構成されて開口を形成する矩形状の枠体と、
前記枠体の前記開口内において、前記上部枠体と前記下部枠体との間に延設されて、前記左部枠体と前記右部枠体との間に並列して配置された複数の左右風向板と、
前記複数の左右風向板を連結する連結板と、
を備え、
前記複数の左右風向板は、
前記左部枠体又は前記右部枠体に隣接する端部風向板と、
前記端部風向板の間に配置される１つ又は複数の中央風向板と、
を有し、
前記端部風向板は、
前記上部枠体及び前記下部枠体に回動自在に支持される端部前面風向板と、
前記端部前面風向板と回動自在に連結されており、前記端部前面風向板の回動する方向とは逆方向に回動する端部背面風向板と、
を有し、
前記中央風向板は、
前記上部枠体及び前記下部枠体に回動自在に支持される中央前面風向板と、
前記中央前面風向板と回動自在に連結されており、前記中央前面風向板の回動する方向とは逆方向に回動する中央背面風向板と、
を有し、
前記連結板は、
前記端部前面風向板と、前記端部背面風向板と、前記中央前面風向板と、前記中央背面風向板と係合して回動させ、
前記端部前面風向板の回動する角度が、前記中央前面風向板の回動する角度より小さく、
前記端部背面風向板の回動する角度が、前記中央背面風向板の回動する角度より小さい、
空気調和機の風向変更装置。
【請求項２】
前記端部背面風向板は、前記端部前面風向板の回動と連動して回動し、
前記中央背面風向板は、前記中央前面風向板の回動と連動して回動する
請求項１に記載の空気調和機の風向変更装置。
【請求項３】
前記下部枠体に回動自在に軸支されている前記端部前面風向板の第１回転軸と、前記連結板に回動自在に軸支されている前記端部前面風向板の第２回転軸との間の距離ＬＣ１が、
前記下部枠体に回動自在に軸支されている前記中央前面風向板の第３回転軸と、前記連結板に回動自在に軸支されている前記中央前面風向板の第４回転軸との間の距離ＬＡ１よりも大きい、
請求項１又は２に記載の空気調和機の風向変更装置。
【請求項４】
前記連結板に回動自在に軸支されている前記端部背面風向板の第５回転軸と、前記端部前面風向板に回動自在に軸支されている前記端部背面風向板の第６回転軸との間の距離ＬＣ２が、
前記連結板に回動自在に軸支されている前記中央背面風向板の第７回転軸と、前記中央前面風向板に回動自在に軸支されている前記中央背面風向板の第８回転軸との間の距離ＬＡ２よりも小さい、
請求項３に記載の空気調和機の風向変更装置。
【請求項５】
前記連結板は、
矩形の平板形状に形成されている長尺状の基板部と、
前記基板部の長手方向の側縁部から突出し、矩形の平板形状に形成されている支持部と、
前記基板部の長手方向の一端に形成され、前記基板部の短手方向に長尺状且つ矩形の平板形状に形成されている長板支持部と、
を有し、
前記基板部には、前記第４回転軸が挿入される係合穴が形成され、
前記支持部には、前記第７回転軸が挿入される中央軸受部が形成され、
前記長板支持部には、前記第５回転軸が挿入される前部長孔が形成され、かつ、前記第２回転軸が挿入される後部長孔が形成されており、前記長板支持部の長手方向に前部長孔及び後部長孔が配置されている
請求項４に記載の空気調和機の風向変更装置。
【請求項６】
モータを更に備え、
前記中央前面風向板が、モータによって回動する
請求項１〜５のいずれか１項に記載の空気調和機の風向変更装置。
【請求項７】
請求項１〜６のいずれか１項に記載の空気調和機の風向変更装置を備えた室内機。
【請求項８】
請求項７に記載の室内機を備えた空気調和機。
【発明の詳細な説明】
【技術分野】
【０００１】
本発明は、吹出風の風向きを変える空気調和機の風向変更装置、この風向変更装置を備えた室内機、及び、この室内機を備えた空気調和機に関するものである。
【背景技術】
【０００２】
特許文献１には、吹出グリル内に、複数の平面部で形成され、風下側端部が吹出グリルの中心から遠のく方向に屈曲した左右風向偏向羽根を回転可能に複数枚取り付けた空気調和機の風向偏向装置が開示されている。
【先行技術文献】
【特許文献】
【０００３】
【特許文献１】特開昭６２−５６７３４号公報
【発明の概要】
【発明が解決しようとする課題】
【０００４】
しかしながら、特許文献１に記載された空気調和機は、左右風向偏向羽根の角度を大きくとると、左右風向偏向羽根が、左右風向偏向羽根と筐体との間の風路を塞ぐような配置となる。これにより、空気調和機は、左右風向偏向羽根と筐体との間を通る吹出風の風量が低下する恐れがある。空気調和機は、左右風向偏向羽根と筐体との間を通る吹出風の風量が低下すると、空調性能の低下或いは結露の発生等が生じる場合がある。【０００５】
本発明は、上述のような課題を解決するためになされたものであり、吹出風の風向を左右方向に偏向させたとき、風向板と筐体との間を通る吹出風の風量の低下を抑制できる空気調和機の風向変更装置、この風向変更装置を備えた室内機、及び、この室内機を備えた空気調和機を提供することを目的とする。
【課題を解決するための手段】
【０００６】
本発明に係る空気調和機の風向変更装置は、上部枠体と、下部枠体と、左部枠体と、右部枠体とから構成されて開口を形成する矩形状の枠体と、枠体の開口内において、上部枠体と下部枠体との間に延設されて、左部枠体と右部枠体との間に並列して配置された複数の左右風向板と、複数の左右風向板を連結する連結板と、を備え、左右風向板は、左部枠体又は右部枠体に隣接する端部風向板と、端部風向板の間に配置される１つ又は複数の中央風向板と、を有し、端部風向板は、上部枠体及び下部枠体に回動自在に支持される端部前面風向板と、端部前面風向板と回動自在に連結されており、端部前面風向板の回動する方向とは逆方向に回動する端部背面風向板と、を有し、中央風向板は、上部枠体及び下部枠体に回動自在に支持される中央前面風向板と、中央前面風向板と回動自在に連結されており、中央前面風向板の回動する方向とは逆方向に回動する中央背面風向板と、を有し、連結板は、端部前面風向板と、端部背面風向板と、中央前面風向板と、中央背面風向板と係合して回動させ、端部前面風向板の回動する角度が、中央前面風向板の回動する角度より小さく、端部背面風向板の回動する角度が、中央背面風向板の回動する角度より小さい、ものである。
【発明の効果】
【０００７】
本発明によれば、吹出風の風向を左右方向に偏向させたとき、枠体に隣接する端部前面風向板の回動する角度が、中央前面風向板の回動する角度より小さく、端部背面風向板の回動する角度が、中央背面風向板の回動する角度より小さい。そのため、吹出風の風向を左右方向に偏向させても、枠体と端部前面風向板との間隔を広く保つことができ、枠体と端部前面風向板との間において、室内機から吹き出される風の量の低下を抑制することができる。
【図面の簡単な説明】
【０００８】
【図１】本発明の実施の形態１に係る風向変更装置を備えた空気調和機の室内機の概略構成を示す正面図である。
【図２】本発明の実施の形態１に係る風向変更装置を備えた空気調和機の室内機の概略構成を示す斜視図である。
【図３】図１で示す室内機のＡ部の部分拡大図である。
【図４】図４は、図３の室内機の斜視図である。
【図５】本発明の実施の形態１に係る風向変更装置の枠体の上方斜視図である。
【図６】本発明の実施の形態１に係る風向変更装置の枠体の下方斜視図である。
【図７】本発明の実施の形態１に係る風向変更装置の左右風向板及び連結板の斜視図である。
【図８】図７の左右風向板及び連結板の分解斜視図である。
【図９】左右風向板を構成する中央前面風向板の側面図である。
【図１０】左右風向板を構成する中央前面風向板の斜視図である。
【図１１】左右風向板を構成する中央背面風向板の側面図である。
【図１２】左右風向板を構成する中央背面風向板の斜視図である。
【図１３】左右風向板を構成する端部前面風向板の側面図である。
【図１４】左右風向板を構成する端部前面風向板の斜視図である。
【図１５】左右風向板を構成する端部背面風向板の側面図である。
【図１６】左右風向板を構成する端部背面風向板の斜視図である。
【図１７】連結板の斜視図である。
【図１８】連結板の底面図である。
【図１９】中央前面風向板と、中央背面風向板と、連結板とを組み合わせる前の図である。
【図２０】中央前面風向板と、中央背面風向板と、連結板とを組み合わせた図である。
【図２１】端部前面風向板と、端部背面風向板と、連結板とを組み合わせる前の図である。
【図２２】端部前面風向板と、端部背面風向板と、連結板とを組み合わせた図である。
【図２３】室内機の正面方向に風を送風する際の、吹出口内の右側に配置された中央風向板及び端部風向板の状態を示す図である。
【図２４】室内機の左方向に風を送風する際の、吹出口内の右側に配置された中央風向板及び端部風向板の状態を示す図である。
【図２５】室内機の正面方向に風を送風する際の、吹出口内の右側に配置された中央風向板及び端部風向板の状態と風の流れを示す図である。
【図２６】室内機の左方向に風を送風する際の、吹出口内の右側に配置された中央風向板及び端部風向板の状態と風の流れを示す図である。
【図２７】本発明の実施の形態２に係る空気調和機の構成例を示す模式図である。
【発明を実施するための形態】
【０００９】
実施の形態１．
図１は、本発明の実施の形態１に係る風向変更装置２０を備えた空気調和機の室内機１の概略構成を示す正面図である。図２は、本発明の実施の形態１に係る風向変更装置２０を備えた空気調和機の室内機１の概略構成を示す斜視図である。風向変更装置２０について、図１及び図２に示す床置形の室内機１を例に挙げて説明する。なお、図１を含む以下の図面では、各構成部材の相対的な寸法の関係及び形状等が実際のものとは異なる場合がある。また、理解を容易にするために方向を表す用語（例えば「上」、「下」、「右」、「左」、「前」、「後」など）を適宜用いるが、これは説明のためのものであって、これらの用語は本願発明を限定するものではない。図１に示すＸ軸は、室内機１の左右の幅方向を示し、Ｙ軸は室内機１の前後の奥行方向を示し、Ｚ軸は室内機１の上下の高さ方向を示すものである。より詳細には、Ｘ軸においてＸ１側を左側、Ｘ２側を右側、Ｙ軸においてＹ１側を前側、Ｙ２側を後側、Ｚ軸においてＺ１側を上側、Ｚ２側を下側として室内機１を説明する。なお、以下の説明における方向を表す用語（例えば「上」、「下」、「右」、「左」、「前」、「後」など）は、室内機１を正面から見たときの方向をそれぞれ表している。また、明細書中における各構成部材同士の位置関係（例えば、上下関係等）は、原則として、室内機１を使用可能な状態に設置したときのものである。
【００１０】
（室内機の構成）
図１に示すように、室内機１は、縦長直方体形状の筐体１０を有している。図２に示すように、筐体１０の左右側面には、室内の空気を吸い込む吸込口１１が形成されている。筐体１０の前面上部には、空調空気（吹出風）が吹き出される吹出口１２を形成する風向変更装置２０が設けられている。なお、図示していないが、筐体１０の内部には、吸込口１１と吹出口１２との間を結ぶ空気通路が形成されている。また、筐体１０の内部には、吸込口１１から吹出口１２に向かう空調空気の流れを上記空気通路内に生成するファンと、上記空気通路内に配置され、内部を流通する冷媒との熱交換により空調空気を冷却又は加熱する熱交換器と、が設けられている。
【００１１】
（風向変更装置２０の構成）
図３は、図１で示す室内機１のＡ部の部分拡大図である。図４は、図３の室内機１の斜視図である。風向変更装置２０は、吹出口１２から吹き出される空調空気の風向きを調整するものである。風向変更装置２０は、枠体３０と、左右風向板４０と、左右風向板４０を連結する連結板７０とを有する。また、風向変更装置２０は、上下風向板８０と、枠体３０内に上下に延設された仕切部材９０とを有する。
【００１２】
［枠体３０］
図５は、本発明の実施の形態１に係る風向変更装置２０の枠体３０の上方斜視図である。図６は、本発明の実施の形態１に係る風向変更装置２０の枠体３０の下方斜視図である。枠体３０は、吹出口１２を形成すると共に、吹出口１２から吹き出される空調空気の風向きを調整する左右風向板４０と、上下風向板８０とを回動自在に支持するものである。枠体３０は、図５及び図６に示すように、上部枠体３０ａと、下部枠体３０ｂと、左部枠体３０ｃと、右部枠体３０ｄとを有する。枠体３０は、筐体１０の前面上部に設置されている。枠体３０は、上部枠体３０ａと、下部枠体３０ｂと、左部枠体３０ｃと、右部枠体３０ｄとが組み合わされて矩形状に形成されている。また、枠体３０は、上部枠体３０ａと、下部枠体３０ｂと、左部枠体３０ｃと、右部枠体３０ｄとが組み合わされることにより、貫通孔である矩形状の吹出口１２を形成する。なお、吹出口１２は、本発明の開口に相当する。図５に示すように、下部枠体３０ｂの内周壁３０ｂ１には、複数の凹部３３が形成されている。凹部３３には、後述する左右風向板４０の下部に設けられた回動軸が挿入される。図６に示すように、上部枠体３０ａの内周壁３０ａ１には、複数の凸部３１が形成されている。凸部３１は、後述する左右風向板４０の上部に設けられた回動軸に挿入される。また、上部枠体３０ａの内周壁３０ａ１には突起部３９が設けられている。左右風向板４０が回動する際に突起部３９と当接することで、図示しない制御装置が左右風向板４０の回転角度を決定する際の基準位置とする。枠体３０は、下部枠体３０ｂから下方に延設された円筒部３８を有する。円筒部３８の中空部は、凹部３３と連通する。下部枠体３０ｂの下方には、図示しないモータが設置され、円筒部３８の中空部と凹部３３との内部にモータのシャフトが配置され、モータのシャフトと左右風向板４０の回動軸とが連結される。左右風向板４０は、モータによって、所定の可動角度範囲で回動駆動されるように構成されている。
【００１３】
［左右風向板４０及び連結板７０］
左右風向板４０は、吹出口１２から吹き出される吹出風の風向を左右方向（Ｘ軸方向）に偏向させるように調整する。左右風向板４０は、図３又は図４に示すように、枠体３０の吹出口１２内において、上部枠体３０ａと下部枠体３０ｂとの間に延設されている。また、複数の左右風向板４０が、左部枠体３０ｃと右部枠体３０ｄとの間に並列して配置されている。具体的には、左右風向板４０は、図３及び図４に示すように、上部枠体３０ａの内周壁３０ａ１と、下部枠体３０ｂの内周壁３０ｂ１との間で上下方向（Ｚ軸方向）に延伸して設けられている。左右風向板４０は、下部に設けられた回動軸が、図５に示す下部枠体３０ｂの内周壁３０ｂ１に形成された凹部３３に挿入され、上部に設けられた回動軸に、図６に示す上部枠体３０ａの内周壁３０ａ１に形成された凸部３１が挿入される。左右風向板４０は、回動軸を中心として枠体３０に回動自在に支持されている。複数の左右風向板４０は、連結板７０によって３枚一組で連結されている。３枚の左右風向板４０のうち、吹出口１２内の左右方向（Ｘ軸方向）において、最も外側に配置されており、左部枠体３０ｃ又は右部枠体３０ｄと対向する位置に配置されている左右風向板４０を、端部風向板４０ｃと称する。すなわち、端部風向板４０ｃは、左部枠体３０ｃ又は右部枠体３０ｄに隣接する。また、吹出口１２内の左右方向（Ｘ軸方向）において、端部風向板４０ｃの内側に配置されている左右風向板４０を、中央風向板４０ｂ及び中央風向板４０ａと称する。中央風向板４０ａは、吹出口１２内の左右方向（Ｘ軸方向）において、中央風向板４０ｂよりも内側に位置している。すなわち、中央風向板４０ａ及び中央風向板４０ｂは、室内機１の吹出口１２内の両端に配置された端部風向板４０ｃの間に配置されている。なお、左右風向板４０と、連結板７０との詳細な構成は後述する。左右風向板４０よりも吹き出される空気の下流側には、複数の上下風向板８０が設けられている。
【００１４】
［上下風向板８０］
上下風向板８０は、吹出口１２から吹き出される空気の風向きを上下方向（Ｚ軸方向）に偏向させるように調整するものである。上下風向板８０は、左部枠体３０ｃと、右部枠体３０ｄとの間で左右方向（Ｘ軸方向）に延伸して設けられている。上下風向板８０は、左右の両端に設けられた回動軸が、左部枠体３０ｃの内周壁３０ｃ１に形成された凹部３６と、右部枠体３０ｄの図示しない内周壁に形成された凹部とに挿入され、回動軸を中心として枠体３０に回動自在に支持されている。また、上下風向板８０は、図示しない駆動部によって、所定の可動角度範囲で回動駆動されるように構成されてもよい。
【００１５】
［仕切部材９０］
仕切部材９０は、吹出口１２を左右に区画するものであり、枠体３０の上下方向（Ｚ軸方向）の強度を確保するものである。仕切部材９０は、図３及び図４に示すように、上部枠体３０ａの内周壁３０ａ１と、下部枠体３０ｂの内周壁３０ｂ１との間で上下方向（Ｚ軸方向）に延伸して設けられている。仕切部材９０は、内周壁３０ａ１と、内周壁３０ｂ１とに設けられた受部３７に挿入されて支持される。なお、仕切部材９０は、設けられていなくてもよい。
【００１６】
（左右風向板４０及び連結板７０の詳細な構成）
図７は、本発明の実施の形態１に係る風向変更装置２０の左右風向板４０及び連結板７０の斜視図である。図７は、風向変更装置２０において、吹出口１２内の右側に配置される３枚の左右風向板４０を示すものである。図７において、３枚の風向板のうち最も右側に配置されている端部風向板４０ｃは、右部枠体３０ｄと対向する位置に配置されている左右風向板４０である。端部風向板４０ｃの回動軸４０ｃ１には、図６に示す枠体３０に形成された凸部３１ｃが挿入される。また、端部風向板４０ｃの回動軸４０ｃ２は、図５に示す枠体３０に形成された凹部３３ｃに挿入される。なお、回動軸４０ｃ２は、本発明の第１回転軸に相当する。
【００１７】
図７において、３枚の風向板のうち最も左側に配置されている中央風向板４０ａは、吹出口１２内の左右方向（Ｘ軸方向）において、最も内側に配置されている板である。中央風向板４０ａの回動軸４０ａ１には、図６に示す枠体３０に形成された凸部３１ａが挿入される。また、中央風向板４０ａの回動軸４０ａ２は、図５に示す枠体３０に形成された凹部３３ａに挿入される。なお、回動軸４０ａ２は、本発明の第３回転軸に相当する。
【００１８】
図７において、３枚の風向板のうち中央に配置されている中央風向板４０ｂは、中央風向板４０ａと配置されている位置が異なるだけであり、中央風向板４０ａと同じ構成である。中央風向板４０ｂの回動軸４０ｂ１には、図６に示す枠体３０に形成された凸部３１ｂが挿入される。また、中央風向板４０ａの回動軸４０ｂ２は、図５に示す枠体３０に形成された凹部３３ｂに挿入される。回動軸４０ｂ２には、モータ６０が連結される。モータ６０は、ステッピングモータであり、制御装置６１によって、回転数と回転速度とが制御される。制御装置６１は、中央風向板４０ｂが、上述した突起部３９と当接することで中央風向板４０ｂの回転角度の位置を認識する。この場合、突起部３９は、中央風向板４０ｂの回動軸４０ｂ１に挿入される凸部３１ｂの近傍に配設されている。制御装置６１は、突起部３９を基準として、中央風向板４０ｂの回転角度を決定する。なお、モータ６０は、端部風向板４０ｃの回動軸４０ｃ２に連結されてもよく、中央風向板４０ａの回動軸４０ａ２に連結されてもよい。この場合、突起部３９は、凸部３１ｃ又は凸部３１ａの近傍に配設されている。
【００１９】
なお、図７は、風向変更装置２０において、吹出口１２内の右側に配置される３枚の左右風向板４０を示すものである。風向変更装置２０において、吹出口１２内の左側に配置される３枚の左右風向板４０は、図７で示す左右風向板４０と対称の位置に配置されている。すなわち、左部枠体３０ｃと対向する位置に配置されている端部風向板４０ｃは、３枚の風向板のうち最も左側に配置されている。そして、吹出口１２内の左右方向（Ｘ軸方向）において、左側から右側に向かって、端部風向板４０ｃと、中央風向板４０ｂと、中央風向板４０ａとが順番に配置されている。
【００２０】
連結板７０は、複数の左右風向板４０を連結する。連結板７０は、端部前面風向板４１ｃと、端部背面風向板５１ｃと、中央前面風向板４１ａ及び中央前面風向板４１ｂと、中央背面風向板５１ａ及び中央背面風向板５１ｂと係合して回動させる。中央風向板４０ｂが、モータ６０によって回転駆動されると、中央風向板４０ｂに連結された連結板７０は、一方の可動端と他方の可動端との間の範囲内において水平面内で円弧運動する。そして、連結板７０によって中央風向板４０ｂと連結された中央風向板４０ａ及び端部風向板４０ｃは、回動軸４０ａ２及び回動軸４０ｃ２を中心に回動する。なお、中央風向板４０ａと、中央風向板４０ｂと、端部風向板４０ｃとは、それぞれ、吹出口１２から吹き出される風向き方向の上流側及び下流側でさらに２つに分解される。
【００２１】
図８は、図７の左右風向板４０及び連結板７０の分解斜視図である。中央風向板４０ａは、吹出風の風向き方向の上流側に中央背面風向板５１ａを有し、吹出風の風向き方向の下流側に中央前面風向板４１ａを有する。中央背面風向板５１ａと、中央前面風向板４１ａとは、回動自在に連結されている。中央風向板４０ｂは、吹出風の風向き方向の上流側に中央背面風向板５１ｂを有し、吹出風の風向き方向の下流側に中央前面風向板４１ｂを有する。中央背面風向板５１ｂと、中央前面風向板４１ｂとは、回動自在に連結されている。端部風向板４０ｃは、吹出風の風向き方向の上流側に端部背面風向板５１ｃを有し、吹出風の風向き方向の下流側に端部前面風向板４１ｃを有する。端部背面風向板５１ｃと、端部前面風向板４１ｃとは、回動自在に連結されている。
【００２２】
図９は、左右風向板４０を構成する中央前面風向板４１ａの側面図である。図１０は、左右風向板４０を構成する中央前面風向板４１ａの斜視図である。図９及び図１０を用いて中央前面風向板４１ａの構成について説明する。なお、中央前面風向板４１ａと、中央前面風向板４１ｂとは同じ構成であるため、中央前面風向板４１ａについて説明し、中央前面風向板４１ｂについての説明を省略する。中央前面風向板４１ａは、例えば、ＡＢＳ樹脂などの樹脂材料で構成されている。中央前面風向板４１ａは、上下方向（Ｚ軸方向）に長い矩形の平板形状に形成されている。中央前面風向板４１ａの上縁部４１ａ１には上方が開口した円筒形状の回動軸４０ａ１が形成されている。回動軸４０ａ１は、奥行方向（Ｙ軸方向）において、上縁部４１ａ１の前側（Ｙ１側）に配置されている。この回動軸４０ａ１には、図６に示す枠体３０に形成された凸部３１ａが挿入される。中央前面風向板４１ａの下縁部４１ａ２には下方が開口した円筒形状の回動軸４０ａ２が形成されている。回動軸４０ａ２は、奥行方向（Ｙ軸方向）において、下縁部４１ａ２の前側（Ｙ１側）に配置されている。この回動軸４０ａ２は、図５に示す枠体３０に形成された凹部３３ａに挿入される。回動軸４０ａ１と、回動軸４０ａ２とは同軸Ｃ１上に配置されている。中央前面風向板４１ａは、回動軸４０ａ１に凸部３１ａが挿入され、回動軸４０ａ２が凹部３３ａに挿入されることで、中央前面風向板４１ａは、上部枠体３０ａ及び下部枠体３０ｂに回動自在に支持されている。中央前面風向板４１ａを有する左右風向板４０は、吹出風の下流側に回動軸４０ａ１及び回動軸４０ａ２を有する片持ち型の構成を有している。なお、中央前面風向板４１ｂの場合には、回動軸４０ａ１及び回動軸４０ａ２は、回動軸４０ｂ１及び回動軸４０ｂ２に相当し、凸部３１ａ及び凹部３３ａは、凸部３１ｂ及び凹部３３ｂに相当する。
【００２３】
吹出口１２から吹き出される風向き方向の上流側に位置する中央前面風向板４１ａの側縁部４１ａ３には、矩形状の上部切欠部４３ａが形成されている。上部切欠部４３ａは、中央前面風向板４１ａの側縁部４１ａ３の一部を切り欠いた部分である。上部切欠部４３ａが側縁部４１ａ３に形成されている位置は、上縁部４１ａ１と下縁部４１ａ２との間で、上縁部４１ａ１側に形成されている。中央前面風向板４１ａは、上部切欠部４３ａにおいて上方から突出する円柱形状の上方突起部４３ａ１と、上部切欠部４３ａにおいて下方から突出する円柱形状の下方突起部４３ａ２とを有する。上方突起部４３ａ１と、下方突起部４３ａ２とは、上下方向（Ｚ軸方向）に同軸上に配置されている。上方突起部４３ａ１及び下方突起部４３ａ２には、後述する中央背面風向板５１ａの上部係合部５２ａが嵌め合わされる。
【００２４】
中央前面風向板４１ａの側縁部４１ａ３には、下部切欠部４５ａが形成されている。下部切欠部４５ａは、中央前面風向板４１ａの側縁部４１ａ３の一部を切り欠いた部分である。下部切欠部４５ａが側縁部４１ａ３に形成されている位置は、上縁部４１ａ１と下縁部４１ａ２との間で、下縁部４１ａ２側に形成されている。中央前面風向板４１ａは、下部切欠部４５ａにおいて上方から突出する円柱形状の上方突出部４５ａ１と、下部切欠部４５ａにおいて下方から突出する円柱形状の下方突出部４５ａ２とを有する。上方突出部４５ａ１と、下方突出部４５ａ２とは、上下方向（Ｚ軸方向）に同軸上に配置されている。上方突出部４５ａ１及び下方突出部４５ａ２は、後述する中央背面風向板５１ａの上部軸受部５４ａ及び下部軸受部５５ａに挿入される。
【００２５】
中央前面風向板４１ａには、中央切欠部４６ａが形成されている。中央切欠部４６ａは、下部切欠部４５ａから吹出風の風向き方向の下流側に位置する側縁部４１ａ４に向かって切り欠かれている部分である。中央切欠部４６ａは、下部切欠部４５ａと繋がっており、上下方向（Ｚ軸方向）の切り欠き幅が、下部切欠部４５ａの上下方向（Ｚ軸方向）の切り欠き幅よりも小さい。
【００２６】
下部切欠部４５ａと、中央切欠部４６ａとを形成する中央前面風向板４１ａの上縁部４１ａ５には補強板４７ａが形成されている。補強板４７ａは、六角形状の平板であり、中央前面風向板４１ａの板面に対して垂直に形成されている。補強板４７ａは、回動する中央前面風向板４１ａの周方向の動きに対して、中央前面風向板４１ａの強度を確保するものである。なお、補強板４７ａの形状は、六角形に限定されるものではなく、他の多角形、円形、楕円形等の形状であってもよい。
【００２７】
中央前面風向板４１ａは、回動軸４０ａ２と下方突出部４５ａ２との間の位置の補強板４７ａから、中央切欠部４６ａに向けて突出する中央突出部４８ａを有する。なお、中央突出部４８ａは、本発明の第４回転軸に相当する。中央突出部４８ａは、中央柱部４８ａ１と、中央柱部４８ａ１の先端部に設けられ、中央柱部４８ａ１よりも直径の大きい中央頭部４８ａ２とを有する。中央突出部４８ａは、後述する連結板７０に形成された係合穴７１ａ又は係合穴７１ｂに挿入される。中央前面風向板４１ａは、奥行方向（Ｙ軸方向）において、後側（Ｙ２側）から前側（Ｙ１側）にかけて、上方突出部４５ａ１及び下方突出部４５ａ２と、中央突出部４８ａと、回動軸４０ａ１及び回動軸４０ａ２との順に配置されている。
【００２８】
中央前面風向板４１ａは、下部切欠部４５ａ及び中央切欠部４６ａを形成する中央前面風向板４１ａの端縁部４１ａ６から、上方に向かって形成された薄肉部４４ａを有する。薄肉部４４ａは、平板状の中央前面風向板４１ａの肉厚を薄くした部分である。中央前面風向板４１ａは、薄肉部４４ａを撓ませることで、中央背面風向板５１ａが取り付けやすくなる。
【００２９】
図１１は、左右風向板４０を構成する中央背面風向板５１ａの側面図である。図１２は、左右風向板４０を構成する中央背面風向板５１ａの斜視図である。図１１及び図１２を用いて中央背面風向板５１ａの構成について説明する。なお、中央背面風向板５１ａと、中央背面風向板５１ｂとは同じ構成であるため、中央背面風向板５１ａについて説明し、中央背面風向板５１ｂについての説明を省略する。中央背面風向板５１ａは、例えば、ポリアセタールなどの樹脂材料で構成されている。中央背面風向板５１ａは、上下方向（Ｚ軸方向）に長い矩形の平板形状に形成されている。中央背面風向板５１ａは、奥行方向（Ｙ軸方向）の幅が、中央前面風向板４１ａの奥行方向（Ｙ軸方向）の幅よりも小さい。また、中央背面風向板５１ａは、上下方向（Ｚ軸方向）の長さが、中央前面風向板４１ａの上下方向（Ｚ軸方向）の長さと等しい。
【００３０】
吹出風の風向き方向の下流側に位置する中央前面風向板４１ａの側縁部５１ａ３には、上部係合部５２ａが設けられている。上部係合部５２ａが側縁部５１ａ３に形成されている位置は、上縁部５１ａ１と下縁部５１ａ２との間で、上縁部５１ａ１側に形成されている。上部係合部５２ａは、円筒形状の側壁の一部が切り欠かれ横断面でＣ字状に形成されている。上部係合部５２ａは、側縁部５１ａ３と繋がるように、中央背面風向板５１ａと一体的に形成されている。上部係合部５２ａは、上述した上方突起部４３ａ１及び下方突起部４３ａ２と嵌め合わされる。
【００３１】
中央背面風向板５１ａの側縁部５１ａ３には、係合板５３ａが設けられている。係合板５３ａが側縁部５１ａ３に形成されている位置は、上縁部５１ａ１と下縁部５１ａ２との間で、下縁部５１ａ２側に形成されている。係合板５３ａは、六角形状の平板であり、中央背面風向板５１ａの板面に対して垂直に形成されている。また、係合板５３ａは、奥行方向（Ｙ軸方向）の前側（Ｙ１側）に突出するように形成されている。なお、係合板５３ａの形状は、六角形に限定されるものではなく、他の多角形、円形、楕円形等の形状であってもよい。
【００３２】
中央背面風向板５１ａの側縁部５１ａ３から突出する係合板５３ａの基部５３ａ１には、係合板５３ａから上方に突出する円筒形状の上部軸受部５４ａが設けられている。また、係合板５３ａの基部５３ａ１には、係合板５３ａから下方に突出する円筒形状の下部軸受部５５ａが設けられている。上部軸受部５４ａ及び下部軸受部５５ａは同軸上に形成されている。なお、中央背面風向板５１ａの上部軸受部５４ａ及び下部軸受部５５ａは、本発明の第８回転軸に相当する。そして、中央前面風向板４１ａと、中央前面風向板４１ｂとは同じ構成であるため、中央背面風向板５１ｂの上部軸受部５４ａ及び下部軸受部５５ａもまた、本発明の第８回転軸に相当する。上部軸受部５４ａには、上述した上方突出部４５ａ１が挿入され、下部軸受部５５ａには下方突出部４５ａ２が挿入される。中央背面風向板５１ａは、上部係合部５２ａが、上方突起部４３ａ１及び下方突起部４３ａ２と嵌め合わされ、上部軸受部５４ａ及び下部軸受部５５ａには、上方突出部４５ａ１と下方突出部４５ａ２が挿入されている。そのため、中央背面風向板５１ａは、中央前面風向板４１ａと回動自在に連結されている。また、中央背面風向板５１ａは、中央前面風向板４１ａの回動と連動して、中央前面風向板４１ａの回動する方向とは逆方向に回動する。中央背面風向板５１ａ及び中央前面風向板４１ａの回動する方向については、後述する。
【００３３】
中央背面風向板５１ａの側縁部５１ａ３から突出する係合板５３ａの先端部５３ａ２には、係合板５３ａから下方に突出する軸部５６ａが設けられている。なお、軸部５６ａは、本発明の第７回転軸に相当する。軸部５６ａは、円柱形状に形成された中央軸部５６ａ１と、中央軸部５６ａ１の先端部に設けられ、中央軸部５６ａ１よりも直径の大きい中央頭部５６ａ２とを有する。中央軸部５６ａ１は、後述する連結板７０に形成された中央軸受部７２ａ又は中央軸受部７３ａに挿入される。中央背面風向板５１ａは、奥行方向（Ｙ軸方向）において、後側（Ｙ２側）から前側（Ｙ１側）にかけて、上部軸受部５４ａ及び下部軸受部５５ａと、中央軸部５６ａ１との順に配置されている。
【００３４】
図１３は、左右風向板４０を構成する端部前面風向板４１ｃの側面図である。図１４は、左右風向板４０を構成する端部前面風向板４１ｃの斜視図である。図１３及び図１４を用いて端部前面風向板４１ｃの構成について説明する。端部前面風向板４１ｃは、例えば、ＡＢＳ樹脂などの樹脂材料で構成されている。端部前面風向板４１ｃは、上下方向（Ｚ軸方向）に長い矩形の平板形状に形成されている。但し、端部前面風向板４１ｃは、吹出風の風向き方向の上流側に位置する端部前面風向板４１ｃの側縁部４１ｃ３と下縁部４１ｃ２との角部に切欠部４９が形成されている。風向変更装置２０の組み立て時の作業者は、端部前面風向板４１ｃに切欠部４９が形成されていることで、端部前面風向板４１ｃと中央前面風向板４１ａとを容易に区別することができる。端部前面風向板４１ｃの上縁部４１ｃ１には上方が開口した円筒形状の回動軸４０ｃ１が形成されている。回動軸４０ｃ１は、奥行方向（Ｙ軸方向）において、上縁部４１ｃ１の前側（Ｙ１側）に配置されている。この回動軸４０ｃ１には、図６に示す上部枠体３０ａに形成された凸部３１ｃが挿入される。端部前面風向板４１ｃの下縁部４１ｃ２には下方が開口した円筒形状の回動軸４０ｃ２が形成されている。回動軸４０ｃ２は、奥行方向（Ｙ軸方向）において、下縁部４１ｃ２の前側（Ｙ１側）に配置されている。この回動軸４０ｃ２は、図５に示す下部枠体３０ｂに形成された凹部３３ｃに挿入される。回動軸４０ｃ１と、回動軸４０ｃ２とは同軸Ｃ２上に配置されている。端部前面風向板４１ｃは、回動軸４０ｃ１に凸部３１ｃが挿入され、回動軸４０ｃ２が凹部３３ｃに挿入されることで、端部前面風向板４１ｃは、上部枠体３０ａ及び下部枠体３０ｂに回動自在に支持される。端部前面風向板４１ｃを有する左右風向板４０は、吹出風の下流側に回動軸４０ｃ１及び回動軸４０ｃ２を有する片持ち型の構成を有している。
【００３５】
端部前面風向板４１ｃの側縁部４１ｃ３には、矩形状の上部切欠部４３ｃが形成されている。上部切欠部４３ｃは、端部前面風向板４１ｃの側縁部４１ｃ３の一部を切り欠いた部分である。上部切欠部４３ｃが側縁部４１ｃ３に形成されている位置は、上縁部４１ｃ１と下縁部４１ｃ２との間で、上縁部４１ｃ１側に形成されている。端部前面風向板４１ｃは、上部切欠部４３ｃにおいて上方から突出する円柱形状の上方突起部４３ｃ１と、上部切欠部４３ｃにおいて下方から突出する円柱形状の下方突起部４３ｃ２とを有する。上方突起部４３ｃ１と、下方突起部４３ｃ２とは、上下方向（Ｚ軸方向）に同軸上に配置されている。上方突起部４３ｃ１及び下方突起部４３ｃ２には、後述する端部背面風向板５１ｃの上部係合部５２ｃが嵌め合わされる。
【００３６】
端部前面風向板４１ｃの側縁部４１ｃ３には、下部切欠部４５ｃが形成されている。下部切欠部４５ｃは、端部前面風向板４１ｃの側縁部４１ｃ３の一部を切り欠いた部分である。下部切欠部４５ｃが側縁部４１ａ３に形成されている位置は、上縁部４１ｃ１と下縁部４１ｃ２との間で、下縁部４１ｃ２側に形成されている。端部前面風向板４１ｃは、下部切欠部４５ｃにおいて上方から突出する円柱形状の上方突出部４５ｃ１と、下部切欠部４５ｃにおいて下方から突出する円柱形状の下方突出部４５ｃ２とを有する。上方突出部４５ｃ１と、下方突出部４５ｃ２とは、上下方向（Ｚ軸方向）に同軸上に配置されている。上方突出部４５ｃ１及び下方突出部４５ｃ２は、後述する端部背面風向板５１ｃの上部軸受部５４ｃ及び下部軸受部５５ｃに挿入される。
【００３７】
端部前面風向板４１ｃには、中央切欠部４６ｃが形成されている。中央切欠部４６ｃは、下部切欠部４５ｃから、吹出風の風向き方向の下流側に位置する側縁部４１ｃ４に向かって切り欠かれている部分である。中央切欠部４６ｃは、下部切欠部４５ｃと繋がっており、上下方向（Ｚ軸方向）の切り欠き幅が、下部切欠部４５ｃの上下方向（Ｚ軸方向）の切り欠き幅よりも小さい。
【００３８】
下部切欠部４５ｃと、中央切欠部４６ｃとを形成する端部前面風向板４１ｃの上縁部４１ｃ５には補強板４７ｃが形成されている。補強板４７ｃは、六角形状の平板であり、端部前面風向板４１ｃの板面に対して垂直に形成されている。補強板４７ｃは、回動する端部前面風向板４１ｃの周方向の動きに対して、端部前面風向板４１ｃの強度を確保するものである。なお、補強板４７ｃの形状は、六角形に限定されるものではなく、他の多角形、円形、楕円形等の形状であってもよい。
【００３９】
端部前面風向板４１ｃは、回動軸４０ｃ２と下方突出部４５ｃ２との間の位置の補強板４７ｃから、中央切欠部４６ｃに向けて突出する中央突出部４８ｃを有する。なお、中央突出部４８ｃは、本発明の第２回転軸に相当する。中央突出部４８ｃは、中央柱部４８ｃ１と、中央柱部４８ｃ１の先端部に設けられ、中央柱部４８ｃ１よりも直径の大きい中央頭部４８ｃ２とを有する。中央突出部４８ｃは、後述する連結板７０に形成された後部長孔７４ａ３に挿入される。端部前面風向板４１ｃは、奥行方向（Ｙ軸方向）において、後側（Ｙ２側）から前側（Ｙ１側）にかけて、上方突出部４５ｃ１及び下方突出部４５ｃ２と、中央突出部４８ｃと、回動軸４０ｃ２との順に配置されている。
【００４０】
端部前面風向板４１ｃは、下部切欠部４５ｃ及び中央切欠部４６ｃを形成する端部前面風向板４１ｃの端縁部４１ｃ６から、上方に向かって形成された薄肉部４４ｃを有する。薄肉部４４ｃは、平板状の端部前面風向板４１ｃの肉厚を薄くした部分である。端部前面風向板４１ｃは、薄肉部４４ｃを撓ませることで、端部背面風向板５１ｃが取り付けやすくなる。
【００４１】
図１５は、左右風向板４０を構成する端部背面風向板５１ｃの側面図である。図１６は、左右風向板４０を構成する端部背面風向板５１ｃの斜視図である。図１５及び図１６を用いて端部背面風向板５１ｃの構成について説明する。端部背面風向板５１ｃは、例えば、ポリアセタールなどの樹脂材料で構成されている。端部背面風向板５１ｃは、上下方向（Ｚ軸方向）に長い矩形の平板形状に形成されている。端部背面風向板５１ｃは、奥行方向（Ｙ軸方向）の幅が、端部前面風向板４１ｃの奥行方向（Ｙ軸方向）の幅よりも小さい。また、端部背面風向板５１ｃは、上下方向（Ｚ軸方向）の長さが、端部前面風向板４１ｃの上下方向（Ｚ軸方向）の長さと等しい。但し、端部背面風向板５１ｃは、吹出風の風向き方向の上流側に位置する側縁部５１ｃ４の長さが、吹出風の風向き方向の下流側に位置する側縁部５１ｃ３の長さよりも短くなるように下縁部５１ｃ２が切り欠かれている。風向変更装置２０の組み立て時の作業者は、端部背面風向板５１ｃの下縁部５１ｃ２が切り欠かれていることで、端部背面風向板５１ｃと中央背面風向板５１ａとを容易に区別することができる。
【００４２】
吹出風の風向き方向の下流側に位置する端部前面風向板４１ｃの側縁部５１ｃ３には、上部係合部５２ｃが設けられている。上部係合部５２ｃが側縁部５１ｃ３に形成されている位置は、上縁部５１ｃ１と下縁部５１ｃ２との間で、上縁部５１ｃ１側に形成されている。上部係合部５２ｃは、円筒形状の側壁の一部が切り欠かれ横断面でＣ字状に形成されている。上部係合部５２ｃは、側縁部５１ｃ３と繋がるように、端部背面風向板５１ｃと一体的に形成されている。上部係合部５２ｃは、上述した上方突起部４３ｃ１及び下方突起部４３ｃ２と嵌め合わされる。
【００４３】
端部背面風向板５１ｃの側縁部５１ｃ３には、係合板５３ｃが設けられている。係合板５３ｃが側縁部５１ｃ３に形成されている位置は、上縁部５１ｃ１と下縁部５１ｃ２との間で、下縁部５１ｃ２側に形成されている。係合板５３ｃは、六角形状の平板であり、端部背面風向板５１ｃの板面に対して垂直に形成されている。また、係合板５３ｃは、奥行方向（Ｙ軸方向）の前側（Ｙ１側）に突出するように形成されている。なお、係合板５３ｃの形状は、六角形に限定されるものではなく、他の多角形、円形、楕円形等の形状であってもよい。
【００４４】
端部背面風向板５１ｃの側縁部５１ｃ３から突出する係合板５３ｃの基部５３ｃ１には、係合板５３ｃから上方に突出する円筒形状の上部軸受部５４ｃが設けられている。また、係合板５３ｃの基部５３ｃ１には、係合板５３ｃから下方に突出する円筒形状の下部軸受部５５ｃが設けられている。上部軸受部５４ｃ及び下部軸受部５５ｃは同軸上に形成されている。なお、端部背面風向板５１ｃの上部軸受部５４ｃ及び下部軸受部５５ｃは、本発明の第６回転軸に相当する。上部軸受部５４ｃには、上述した上方突出部４５ｃ１が挿入され、下部軸受部５５ｃには下方突出部４５ｃ２が挿入される。端部背面風向板５１ｃは、上部係合部５２ｃが、上方突起部４３ｃ１及び下方突起部４３ｃ２と嵌め合わされ、上部軸受部５４ｃ及び下部軸受部５５ｃには、上方突出部４５ｃ１と下方突出部４５ｃ２が挿入されている。そのため、端部背面風向板５１ｃは、端部前面風向板４１ｃと回動自在に連結されている。また、端部背面風向板５１ｃは、端部前面風向板４１ｃの回動と連動して、端部前面風向板４１ｃの回動する方向とは逆方向に回動する。端部背面風向板５１ｃ及び端部前面風向板４１ｃの回動する方向については、後述する。
【００４５】
端部背面風向板５１ｃの側縁部５１ｃ３から突出する係合板５３ｃの先端部５３ｃ２には、係合板５３ｃから下方に突出する軸部５６ｃが設けられている。なお、軸部５６ｃは、本発明の第５回転軸に相当する。軸部５６ｃは、円柱形状に形成された中央軸部５６ｃ１と、中央軸部５６ｃ１の先端部に設けられ、中央軸部５６ｃ１よりも直径の大きい中央頭部５６ｃ２とを有する。中央軸部５６ｃ１は、後述する連結板７０に形成された中央軸受部７２ａ又は中央軸受部７３ａに挿入される。端部背面風向板５１ｃは、奥行方向（Ｙ軸方向）において、後側（Ｙ２側）から前側（Ｙ１側）にかけて、上部軸受部５４ｃ及び下部軸受部５５ｃと、中央軸部５６ｃ１との順に配置されている。なお、端部背面風向板５１ｃに設けられた軸部５６ｃの中央軸部５６ｃ１の直径は、端部前面風向板４１ｃに設けられた中央突出部４８ｃの中央柱部４８ｃ１の直径よりも大きい。風向変更装置２０の組み立て時の作業者は、中央軸部５６ｃ１及び中央柱部４８ｃ１の直径の大きさが異なることで、後述する連結板７０の長板支持部７４に形成された長孔７４ａへの挿入位置を容易に認識することができる。
【００４６】
図１７は、連結板７０の斜視図である。図１８は、連結板７０の底面図である。図１７及び図１８を用いて連結板７０の構成について説明する。連結板７０は、例えば、ポリプロピレンなどの樹脂材料で構成されている。連結板７０は、中央前面風向板４１ａ及び中央前面風向板４１ｂと連結する基板部７１と、中央背面風向板５１ａと連結する支持部７２及び中央背面風向板５１ｂと連結する支持部７３とを有する。また、連結板７０は、端部前面風向板４１ｃ及び端部背面風向板５１ｃと連結する長板支持部７４を有する。
【００４７】
基板部７１は、左右方向（Ｘ軸方向）に長尺状であり、矩形の平板形状に形成されている。基板部７１には長手方向（Ｘ軸方向）に沿って、係合穴７１ａ及び係合穴７１ｂが形成されている。係合穴７１ａ及び係合穴７１ｂは円形状に形成された貫通孔である。係合穴７１ａは基板部７１の長手方向の一端部７１ｅ側に形成されており、係合穴７１ｂは、長手方向の両端の間に形成されている。また、基板部７１には長手方向（Ｘ軸方向）に沿って、細穴７１ａ１及び細穴７１ｂ１が形成されている。細穴７１ａ１及び細穴７１ｂ１は、基板部７１の長手方向に延設され、二つの等しい長さの平行線と二つの半円形からなる角丸長方形に形成されている貫通孔である。細穴７１ａ１は、基板部７１の長手方向の一端部７１ｅ側に形成されており、細穴７１ｂ１は、長手方向の両端の間に形成されている。係合穴７１ａ及び係合穴７１ｂは、細穴７１ａ１及び細穴７１ｂ１の長手方向の中央部分に形成されている。係合穴７１ａ及び係合穴７１ｂの直径は、細穴７１ａ１及び細穴７１ｂ１の短手方向の幅よりも大きい。係合穴７１ａには、中央前面風向板４１ａの中央突出部４８ａが挿入される。また、係合穴７１ｂには、中央前面風向板４１ｂの中央突出部４８ａが挿入される。細穴７１ａ１及び細穴７１ｂ１は、係合穴７１ａ及び係合穴７１ｂに、中央突出部４８ａを挿入する際に基板部７１を撓ませて、中央突出部４８ａを挿入し易くするものである。
【００４８】
基板部７１には、基板部７１の側縁部７１ｄに沿って、基板部７１から上方（Ｚ１方向）に突出するリブ部７５が形成されている。リブ部７５は、連結板７０の強度を確保するものである。なお、側縁部７１ｄは、基板部７１の短手方向（Ｙ軸方向）の一端部側に位置する側縁部である。リブ部７５は、基板部７１の長手方向に沿って角柱状に形成されている。なお、リブ部７５の形状は、角柱状に限定されるものではなく、例えば半円柱状など他の形状であってもよい。
【００４９】
支持部７２及び支持部７３は、基板部７１の側縁部７１ｃから突出するように形成されている。なお、側縁部７１ｃは、基板部７１の短手方向（Ｙ軸方向）の他端部側に位置する側縁部である。支持部７２及び支持部７３は、突出方向に長い矩形の平板形状に形成されている。支持部７２及び支持部７３は、基板部７１と比較して上方（Ｚ１方向）に盛り上がり、支持部７２及び支持部７３の肉厚は、基板部７１の肉厚よりも大きい。支持部７２は、側縁部７１ｃにおいて、基板部７１の長手方向の一端部７１ｅ側に形成されており、支持部７３は、側縁部７１ｃにおいて、基板部７１の長手方向の両端の間に形成されている。支持部７２及び支持部７３には、それぞれ上下方向に貫通する穴である中央軸受部７２ａ及び中央軸受部７３ａが形成されている。中央軸受部７２ａ及び中央軸受部７３ａに挿入された軸部５６ａは、中央軸受部７２ａ及び中央軸受部７３ａ内で摺動することにより、軸部５６ａと基板部７１との間の距離を近づけたり遠ざけたりすることができる。中央軸受部７２ａ及び中央軸受部７３ａは、いわゆるダルマ穴であり、突出方向に長軸を有し、二つの等しい長さの平行線と二つの半円形からなる角丸長方形と、一端の半円形の部分が平行線間の距離よりも直径が大きい円形との組み合わせにより形成されている。中央軸受部７２ａ及び中央軸受部７３ａは、円径部分を有することで、中央背面風向板５１ａ及び中央背面風向板５１ａの軸部５６ａが挿入しやすくなる。中央軸受部７２ａの長軸の延長線Ｃ４上に、係合穴７１ａが配置されている。また、中央軸受部７３ａの長軸の延長線Ｃ５上に、係合穴７１ｂが配置されている。なお、延長線Ｃ４及び延長線Ｃ５は、係合穴７１ａと係合穴７１ｂとを結ぶ線の延長線Ｃ３と直交する。
【００５０】
中央軸受部７２ａは、肉厚方向（Ｚ軸方向）において、上方（Ｚ１側）に形成された上部穴７２ａ１と、上部穴７２ａ１の下方（Ｚ２側）に形成され、上部穴７２ａ１の開口径よりも大きく形成された下部穴７２ａ２とにより構成されている。中央背面風向板５１ａの軸部５６ａを中央軸受部７２ａに挿入すると、円柱形状に形成された中央軸部５６ａ１が上部穴７２ａ１の位置に配置され、中央軸部５６ａ１よりも直径の大きい中央頭部５６ａ２が下部穴７２ａ２の位置に配置される。そのため、中央背面風向板５１ａの軸部５６ａを中央軸受部７２ａに挿入すると、中央頭部５６ａ２が、上部穴７２ａ１と下部穴７２ａ２との段差部７２ａ３にひっかかり抜けにくくなる。同様に、中央軸受部７３ａは、肉厚方向（Ｚ軸方向）において上方（Ｚ１側）に形成された上部穴７３ａ１と、上部穴７３ａ１の下方（Ｚ２側）に形成され、上部穴７３ａ１の開口径よりも大きく形成された下部穴７３ａ２とにより構成されている。中央背面風向板５１ｂの軸部５６ａを中央軸受部７３ａに挿入すると、円柱形状に形成された中央軸部５６ａ１が上部穴７３ａ１の位置に配置され、中央軸部５６ａ１よりも直径の大きい中央頭部５６ａ２が下部穴７３ａ２の位置に配置される。そのため、中央背面風向板５１ｂの軸部５６ａを中央軸受部７３ａに挿入すると、中央頭部５６ａ２が、上部穴７３ａ１と下部穴７３ａ２との段差部７３ａ３にひっかかり抜けにくくなる。
【００５１】
長板支持部７４は、基板部７１の長手方向（Ｘ軸方向）の他端部７１ｆ側に形成されている。長板支持部７４は、長板支持部７４の長手方向（Ｙ軸方向）が基板部７１の長手方向（Ｘ軸方向）と直交し、基板部７１の短手方向（Ｙ軸方向）に長尺状且つ矩形の平板形状に形成されている。長板支持部７４の長手方向の長さは、基板部７１の短手方向の長さよりも長く、長板支持部７４の長手方向の両端部は、基板部７１の短手方向の両端部からそれぞれ突出している。長板支持部７４は、長板支持部７４の長手方向の一端側の端縁部７４ｂから下方（Ｚ２側）に突出する突出板７４ｃを有する。突出板７４ｃは、長板支持部７４が上下方向（Ｚ軸方向）に移動することを規制するものである。連結板７０は、長板支持部７４が上下方向（Ｚ軸方向）に移動することを規制されることで、端部前面風向板４１ｃ及び端部背面風向板５１ｃを滑らかに回動させることができる。突出板７４ｃは、端縁部７４ｂに沿って角柱状に形成されている。なお、突出板７４ｃの形状は角柱状に限定されるものではなく、例えば半円柱状など他の形状であってもよい。
【００５２】
長板支持部７４には、上下方向に貫通する穴である長孔７４ａが形成されている。長孔７４ａは、円形状の挿入孔７４ａ１と、前部長孔７４ａ２と、後部長孔７４ａ３とから構成されている。前部長孔７４ａ２は、一端が挿入孔７４ａ１と接続し、他端が端縁部７４ｂ側に位置する長方形状に形成されており、端縁部７４ｂ側の先端が半円形状に形成されている。後部長孔７４ａ３は、一端が挿入孔７４ａ１と接続し、他端が端縁部７４ｂとは反対側に位置する長方形状に形成されており、先端が半円形状に形成されている。前部長孔７４ａ２と、後部長孔７４ａ３とは、挿入孔７４ａ１を介して同軸上に配置されている。前部長孔７４ａ２及び後部長孔７４ａ３は、長板支持部７４の短手方向（Ｘ軸方向）よりも長手方向（Ｙ軸方向）に長く形成されている。前部長孔７４ａ２には、軸部５６ｃが配置される。後部長孔７４ａ３には、中央突出部４８ｃが配置される。前部長孔７４ａ２に配置された軸部５６ｃは、先端部７４ａ２１と挿入孔７４ａ１との間を摺動することができる。後部長孔７４ａ３に配置された中央突出部４８ｃは、先端部７４ａ３１と挿入孔７４ａ１との間で摺動することができる。円形状の挿入孔７４ａ１の直径は、前部長孔７４ａ２及び後部長孔７４ａ３の短手方向の幅よりも大きい。円形状の挿入孔７４ａ１の直径が、前部長孔７４ａ２及び後部長孔７４ａ３の短手方向の幅よりも大きい理由は、端部前面風向板４１ｃの中央突出部４８ｃと、端部背面風向板５１ｃの軸部５６ｃとを挿入し易くするためである。また、中央突出部４８ｃを挿入孔７４ａ１に挿入した後、中央頭部４８ｃ２が上下方向（Ｚ軸方向）で長板支持部７４にひっかかり後部長孔７４ａ３から外れないようにするためである。また、軸部５６ｃを挿入孔７４ａ１に挿入した後、中央頭部５６ｃ２が上下方向（Ｚ軸方向）で長板支持部７４にひっかかり前部長孔７４ａ２から外れないようにするためである。なお、前部長孔７４ａ２の短手方向の幅は、後部長孔７４ａ３の短手方向の幅よりも大きい。なお、前部長孔７４ａ２の先端部７４ａ２１の位置Ｄ１は、中央軸受部７２ａの先端部７２ａ２１の位置Ｄ２及び中央軸受部７３ａの先端部７３ａ２１の位置Ｄ３よりも、側縁部７１ｃ及びその延長線上のＤ４に近い位置にある。
【００５３】
図１９は、中央前面風向板４１ａと、中央背面風向板５１ａと、連結板７０とを組み合わせる前の図である。図２０は、中央前面風向板４１ａと、中央背面風向板５１ａと、連結板７０とを組み合わせた図である。図１９及び図２０を用いて、中央前面風向板４１ａと、中央背面風向板５１ａと、連結板７０との組み立てについて説明する。なお、以下の説明で、係合穴７１ｂは、係合穴７１ａでもよく、支持部７３の中央軸受部７３ａは、支持部７２の中央軸受部７２ａでもよい。まず、中央前面風向板４１ａの中央突出部４８ａが、連結板７０の係合穴７１ｂに挿入され、中央前面風向板４１ａと連結板７０とが連結される。次に、中央背面風向板５１ａの軸部５６ａが、連結板７０の支持部７３に形成された中央軸受部７３ａに挿入され、中央背面風向板５１ａと、連結板７０とが連結される。最後に、中央前面風向板４１ａの上方突出部４５ａ１及び下方突出部４５ａ２が、中央背面風向板５１ａの上部軸受部５４ａ及び下部軸受部５５ａに挿入され、中央前面風向板４１ａと、中央背面風向板５１ａとが連結される。このとき中央前面風向板４１ａの薄肉部４４ａを撓ませることで、上方突出部４５ａ１及び下方突出部４５ａ２を、上部軸受部５４ａ及び下部軸受部５５ａに挿入しやすくなる。
【００５４】
図２１は、端部前面風向板４１ｃと、端部背面風向板５１ｃと、連結板７０とを組み合わせる前の図である。図２２は、端部前面風向板４１ｃと、端部背面風向板５１ｃと、連結板７０とを組み合わせた図である。図２１及び図２２を用いて、端部前面風向板４１ｃと、端部背面風向板５１ｃと、連結板７０との組み立てについて説明する。まず、端部前面風向板４１ｃの中央突出部４８ｃが、挿入孔７４ａ１に挿入され、中央突出部４８ｃを後部長孔７４ａ３に移動させ、端部前面風向板４１ｃと連結板７０とが連結される。次に、端部背面風向板５１ｃの軸部５６ｃが、挿入孔７４ａ１に挿入され、軸部５６ｃを前部長孔７４ａ２に移動させ、端部背面風向板５１ｃと連結板７０とが連結される。最後に、端部前面風向板４１ｃの上方突出部４５ｃ１及び下方突出部４５ｃ２が、端部背面風向板５１ｃの上部軸受部５４ｃ及び下部軸受部５５ｃに挿入され、端部前面風向板４１ｃと、端部背面風向板５１ｃとが連結される。このとき端部前面風向板４１ｃの薄肉部４４ｃを撓ませることで、上方突出部４５ａ１及び下方突出部４５ａ２を、上部軸受部５４ａ及び下部軸受部５５ａに挿入しやすくなる。
【００５５】
（左右風向板の動作）
図２３は、室内機１の正面方向に風を送風する際の、吹出口１２内の右側に配置された中央風向板４０ａ及び端部風向板４０ｃの状態を示す図である。図２４は、室内機１の左方向に風を送風する際の、吹出口１２内の右側に配置された中央風向板４０ａ及び端部風向板４０ｃの状態を示す図である。なお、図２３において、矢印Ｆは、吹出風の風向き方向を示す。図２３及び図２４を用いて、吹出口１２内の右側に配置された中央風向板４０ａ及び端部風向板４０ｃとの動作と構成部材の位置関係を説明する。なお、中央風向板４０ｂは、中央風向板４０ａと同じ構成であり、中央風向板４０ａと同じ動作をするため、中央風向板４０ａを説明することで中央風向板４０ｂの説明を省略する。また、室内機１の右側に風を送風する場合には、中央風向板４０ａ及び端部風向板４０ｃのそれぞれの回動する角度は、図２４に示す態様と逆方向となる。また、吹出口１２内の左側に配置された中央風向板４０ａと、中央風向板４０ｂと、端部風向板４０ｃは、図２３に記載の中央風向板４０ａと、中央風向板４０ｂと、端部風向板４０ｃの位置と対称の位置に配置されている。なお、図２３では、中央前面風向板４１ａの上方突出部４５ａ１及び下方突出部４５ａ２が、中央背面風向板５１ａの上部軸受部５４ａ及び下部軸受部５５ａに挿入されて構成された回転軸を回転軸５７ａとして説明する。同様に、端部前面風向板４１ｃの上方突出部４５ｃ１及び下方突出部４５ｃ２が、端部背面風向板５１ｃの上部軸受部５４ｃ及び下部軸受部５５ｃに挿入されて構成された回転軸を回転軸５７ｃとして説明する。
【００５６】
図２３に示すように、室内機１の正面方向に風を送風する際には、中央前面風向板４１ａと、中央背面風向板５１ａとは、互いに屈曲せず、吹出風の風向き方向において同一直線上に配置されている。同様に、中央前面風向板４１ｂと、中央背面風向板５１ｂとは、互いに屈曲せず、吹出風の風向き方向において同一直線上に配置されている。同様に、端部前面風向板４１ｃと、端部背面風向板５１ｃとは、互いに屈曲せず、吹出風の風向き方向において同一直線上に配置されている。図２３及び図２４に示すように、風向変更装置２０は、距離ＬＣ１が距離ＬＡ１よりも大きい。距離ＬＣ１は、下部枠体３０ｂに回動自在に軸支されている端部前面風向板４１ｃの回動軸４０ｃ２（第１回転軸）と、連結板７０に回動自在に軸支されている端部前面風向板４１ｃの中央突出部４８ｃ（第２回転軸）との間の距離である。距離ＬＡ１は、下部枠体３０ｂに回動自在に軸支されている中央前面風向板４１ａの回動軸４０ａ２（第３回転軸）と、連結板７０に回動自在に軸支されている中央前面風向板４１ａの中央突出部４８ａ（第４回転軸）との間の距離である。なお、距離ＬＡ１は、下部枠体３０ｂに回動自在に軸支されている中央前面風向板４１ｂの回動軸４０ｂ２（第３回転軸）と、連結板７０に回動自在に軸支されている中央前面風向板４１ｂの中央突出部４８ａ（第４回転軸）との間の距離でもある。また、風向変更装置２０は、距離ＬＣ２が、距離ＬＡ２よりも小さい。距離ＬＣ２は、連結板７０に回動自在に軸支されている端部背面風向板５１ｃの軸部５６ｃ（第５回転軸）と、端部前面風向板４１ｃに回動自在に軸支されている端部背面風向板５１ｃの上部軸受部５４ｃ及び下部軸受部５５ｃ（第６回転軸）との間の距離である。距離ＬＡ２は、連結板７０に回動自在に軸支されている中央背面風向板５１ａの軸部５６ａ（第７回転軸）と、中央前面風向板４１ａに回動自在に軸支されている中央背面風向板５１ａの上部軸受部５４ａ及び下部軸受部５５ａ（第８回転軸）との間の距離である。
【００５７】
図２３に示すように、正面方向に風を送風する際の中央風向板４０ａ、中央風向板４０ｂ及び端部風向板４０ｃが、吹出口１２の開口端面Ｅと垂直な角度となる位置を、中央風向板４０ａ、中央風向板４０ｂ及び端部風向板４０ｃの中間位置とする。なお、図２３では、吹出口１２の開口端面を線Ｅで表す。中央風向板４０ｂが時計回り又は反時計回りに回動すると、連結板７０が一方の可動端又は他方の可動端に駆動される。このとき、中央風向板４０ａ及び端部風向板４０ｃは、一方の最大回動角又は他方の最大回動角まで駆動される。図２４に示すように、中央前面風向板４１ａ及び中央前面風向板４１ｂの最大可動角の大きさである角度θ１ａは、端部前面風向板４１ｃの最大可動角の大きさである角度θ１ｃよりも大きい。換言すれば、端部前面風向板４１ｃの最大可動角の大きさである角度θ１ｃは、中央前面風向板４１ａ及び中央前面風向板４１ｂの最大可動角の大きさである角度θ１ａよりも小さい。なお、中央前面風向板４１ａの最大可動角の大きさである角度θ１ａは、中央前面風向板４１ａの中間位置と、一方の最大回動角時又は他方の最大回動角時の中央前面風向板４１ａの位置との間の角度である。また、中央前面風向板４１ｂの最大可動角の大きさ角度θ１ａは、中央前面風向板４１ｂの中間位置と、一方の最大回動角時又は他方の最大回動角時の中央前面風向板４１ｂの位置との間の角度である。また、端部前面風向板４１ｃの最大可動角の大きさ角度θ１ｃは、端部前面風向板４１ｃの中間位置と、一方の最大回動角時又は他方の最大回動角時の端部前面風向板４１ｃの位置との間の角度である。
【００５８】
次に、中央風向板４０ａ、中央風向板４０ｂ、及び端部風向板４０ｃの動作についてさらに詳細に説明する。まず、中央前面風向板４１ｂが、例えば、モータと連結されて中間位置から時計回りに角度θ１ａの大きさで回動された場合について説明する。なお、中央前面風向板４１ｂの回動は、モータを使用せず、手動で行ってもよい。中央前面風向板４１ｂが、中間位置から時計回りに角度θ１ａの大きさで回動されると、中央突出部４８ａは、回動軸４０ｂ２を中心として時計回りに円弧運動を行う。中央突出部４８ａは係合穴７１ｂに挿入されており、中央突出部４８ａが時計回りに円弧運動を行うことによって、連結板７０も時計回りに円弧運動を行う。このとき連結板７０に形成された支持部７３も連結板７０と共に円弧運動を行う。また、支持部７３の中央軸受部７３ａに挿入されている中央背面風向板５１ｂの軸部５６ａは、中央軸受部７３ａ内を摺動しながら、支持部７３と共に円弧運動を行う。この軸部５６ａは、係合板５３ａの先端部に配置されている。また、係合板５３ａの基部には、回転軸５７ａが位置している。そのため、中央軸受部７３ａ内を摺動しながら、支持部７３と共に円弧運動を行う軸部５６ａの動きによって、回転軸５７ａを中心として係合板５３ａが反時計回りに回転運動を行う。係合板５３ａが反時計回りに回転運動を行うことで、回転軸５７ａを中心として中央背面風向板５１ｂは、中間位置から反時計回りに角度θ２ａの大きさで回動する。
【００５９】
また、中央前面風向板４１ａの中央突出部４８ａは、連結板７０の係合穴７１ａに挿入されている。連結板７０が時計回りに円弧運動し、中間位置から右方向へ移動することに伴い、中央前面風向板４１ａの中央突出部４８ａは、回動軸４０ａ２を中心としての時計回りに円弧運動を行う。中央突出部４８ａが回動軸４０ａ２を中心としての時計回りに円弧運動を行うことによって、中央前面風向板４１ａが回動軸４０ａ２を中心として中間位置から時計回りに角度θ１ａの大きさで回動する。このとき連結板７０に形成された支持部７２も連結板７０と共に円弧運動を行う。また、支持部７２の中央軸受部７２ａに挿入されている中央背面風向板５１ａの軸部５６ａは、中央軸受部７２ａ内を摺動しながら、支持部７２と共に円弧運動を行う。この軸部５６ａは、係合板５３ａの先端部に配置されている。また、係合板５３ａの基部には、回転軸５７ａが位置している。そのため、中央軸受部７２ａ内を摺動しながら、支持部７２と共に円弧運動を行う軸部５６ａの動きによって、回転軸５７ａを中心として係合板５３ａが反時計回りに回転運動を行う。係合板５３ａが反時計回りに回転運動を行うことで、回転軸５７ａを中心として中央背面風向板５１ａは、中間位置から反時計回りに角度θ２ａの大きさで回動する。
【００６０】
また、端部前面風向板４１ｃの中央突出部４８ｃは、後部長孔７４ａ３に挿入されている。連結板７０が時計回りに円弧運動し、中間位置から右方向へ移動することに伴い、端部前面風向板４１ｃの中央突出部４８ｃは、回動軸４０ｃ２を中心としての時計回りに円弧運動を行う。中央突出部４８ｃが回動軸４０ｃ２を中心としての時計回りに円弧運動を行うことによって、端部前面風向板４１ｃが回動軸４０ｃ２を中心として中間位置から時計回りに角度θ１ｃの大きさで回動する。このとき連結板７０の長手方向の一端に形成された長板支持部７４も連結板７０と共に円弧運動を行う。また、長板支持部７４の前部長孔７４ａ２に挿入されている端部背面風向板５１ｃの軸部５６ｃは、前部長孔７４ａ２内を摺動しながら、長板支持部７４と共に円弧運動を行う。この軸部５６ｃは、係合板５３ｃの先端部に配置されている。また、係合板５３ｃの基部には、回転軸５７ｃが位置している。そのため、前部長孔７４ａ２内を摺動しながら、長板支持部７４と共に円弧運動を行う軸部５６ｃの動きによって、回転軸５７ｃを中心として係合板５３ｃが反時計回りに回転運動を行う。係合板５３ｃが反時計回りに回転運動を行うことで、回転軸５７ｃを中心として端部背面風向板５１ｃは、中間位置から反時計回りに角度θ２ｃの大きさで回動する。ここで、端部前面風向板４１ｃの回動する角度θ１ｃは、中央前面風向板４１ａの回動する角度θ１ａより小さく、端部背面風向板５１ｃの回動する角度θ２ｃは、中央背面風向板５１ａの回動する角度θ２ａより小さい。なお、端部前面風向板４１ｃと、中央前面風向板４１ａとは、連結板７０で連結駆動し、中央前面風向板４１ａの回動する角度θ１ａと、端部前面風向板４１ｃの回動する角度θ１ｃとは比例関係となる。また、端部背面風向板５１ｃと、中央背面風向板５１ａとは、連結板７０で連結駆動し、中央背面風向板５１ａの回動する角度θ２ａと、端部背面風向板５１ｃの回動する角度θ２ｃとは比例関係となる。
【００６１】
次に、中央前面風向板４１ｂが、例えば、モータと連結されて中間位置から反時計回りに角度θ１ａの大きさで回動された場合について説明する。なお、中央前面風向板４１ｂの回動は、モータを使用せず、手動で行ってもよい。中央前面風向板４１ｂが、中間位置から反時計回りに角度θ１ａの大きさで回動されると、中央突出部４８ａは、回動軸４０ｂ２を中心として反時計回りに円弧運動を行う。中央突出部４８ａは係合穴７１ｂに挿入されており、中央突出部４８ａが反時計回りに円弧運動を行うことによって、連結板７０も反時計回りに円弧運動を行う。このとき連結板７０に形成された支持部７３も連結板７０と共に円弧運動を行う。また、支持部７３の中央軸受部７３ａに挿入されている中央背面風向板５１ｂの軸部５６ａは、中央軸受部７３ａ内を摺動しながら、支持部７３と共に円弧運動を行う。この軸部５６ａは、係合板５３ａの先端部に配置されている。また、係合板５３ａの基部には、回転軸５７ａが位置している。そのため、中央軸受部７３ａ内を摺動しながら、支持部７３と共に円弧運動を行う軸部５６ａの動きによって、回転軸５７ａを中心として係合板５３ａが時計回りに回転運動を行う。係合板５３ａが時計回りに回転運動を行うことで、回転軸５７ａを中心として中央背面風向板５１ｂは、中間位置から時計回りに角度θ２ａの大きさで回動する。
【００６２】
また、中央前面風向板４１ａの中央突出部４８ａは、連結板７０の係合穴７１ａに挿入されている。連結板７０が反時計回りに円弧運動し、中間位置から右方向へ移動することに伴い、中央前面風向板４１ａの中央突出部４８ａは、回動軸４０ａ２を中心としての反時計回りに円弧運動を行う。中央突出部４８ａが回動軸４０ａ２を中心としての反時計回りに円弧運動を行うことによって、中央前面風向板４１ａが回動軸４０ａ２を中心として中間位置から反時計回りに角度θ１ａの大きさで回動する。このとき連結板７０に形成された支持部７２も連結板７０と共に円弧運動を行う。また、支持部７２の中央軸受部７２ａに挿入されている中央背面風向板５１ａの軸部５６ａは、中央軸受部７２ａ内を摺動しながら、支持部７２と共に円弧運動を行う。この軸部５６ａは、係合板５３ａの先端部に配置されている。また、係合板５３ａの基部には、回転軸５７ａが位置している。そのため、中央軸受部７２ａ内を摺動しながら、支持部７２と共に円弧運動を行う軸部５６ａの動きによって、回転軸５７ａを中心として係合板５３ａが時計回りに回転運動を行う。係合板５３ａが時計回りに回転運動を行うことで、回転軸５７ａを中心として中央背面風向板５１ａは、中間位置から時計回りに角度θ２ａの大きさで回動する。
【００６３】
また、端部前面風向板４１ｃの中央突出部４８ｃは、後部長孔７４ａ３に挿入されている。連結板７０が反時計回りに円弧運動し、中間位置から右方向へ移動することに伴い、端部前面風向板４１ｃの中央突出部４８ｃは、回動軸４０ｃ２を中心としての反時計回りに円弧運動を行う。中央突出部４８ｃが回動軸４０ｃ２を中心としての反時計回りに円弧運動を行うことによって、端部前面風向板４１ｃが回動軸４０ｃ２を中心として中間位置から反時計回りに角度θ１ｃの大きさで回動する。このとき連結板７０の長手方向の一端に形成された長板支持部７４も連結板７０と共に円弧運動を行う。また、長板支持部７４の前部長孔７４ａ２に挿入されている端部背面風向板５１ｃの軸部５６ｃは、前部長孔７４ａ２内を摺動しながら、長板支持部７４と共に円弧運動を行う。この軸部５６ｃは、係合板５３ｃの先端部に配置されている。また、係合板５３ｃの基部には、回転軸５７ｃが位置している。そのため、前部長孔７４ａ２内を摺動しながら、長板支持部７４と共に円弧運動を行う軸部５６ｃの動きによって、回転軸５７ｃを中心として係合板５３ｃが時計回りに回転運動を行う。係合板５３ｃが時計回りに回転運動を行うことで、回転軸５７ｃを中心として端部背面風向板５１ｃは、中間位置から時計回りに角度θ２ｃの大きさで回動する。ここで、端部前面風向板４１ｃの回動する角度θ１ｃは、中央前面風向板４１ａの回動する角度θ１ａより小さく、端部背面風向板５１ｃの回動する角度θ２ｃは、中央背面風向板５１ａの回動する角度θ２ａより小さい。なお、端部前面風向板４１ｃと、中央前面風向板４１ａとは、連結板７０で連結駆動し、中央前面風向板４１ａの回動する角度θ１ａと、端部前面風向板４１ｃの回動する角度θ１ｃとは比例関係となる。また、端部背面風向板５１ｃと、中央背面風向板５１ａとは、連結板７０で連結駆動し、中央背面風向板５１ａの回動する角度θ２ａと、端部背面風向板５１ｃの回動する角度θ２ｃとは比例関係となる。
【００６４】
なお、上述したように連結板７０は、例えば、ポリプロピレンなどの樹脂材料で構成されている。また、中央前面風向板４１ａは、例えば、ＡＢＳ樹脂などの樹脂材料で構成されている。また、中央背面風向板５１ａは、例えば、ポリアセタールなどの樹脂材料で構成されている。したがって、連結板７０と、中央前面風向板４１ａと、中央背面風向板５１ａとは互いに異種材料で連結されており、摺動部分が摩耗しにくい。同様に、端部前面風向板４１ｃは、例えば、ＡＢＳ樹脂などの樹脂材料で構成されている。また、端部背面風向板５１ｃは、例えば、ポリアセタールなどの樹脂材料で構成されている。したがって、連結板７０と、端部前面風向板４１ｃと、端部背面風向板５１ｃとは互いに異種材料で連結されており、摺動部分が摩耗しにくい。なお、連結板７０と、中央前面風向板４１ａと、中央背面風向板５１ａとはそれぞれ異なる材量で構成されることが望ましいが、同じ材料で構成されていてもよい。同様に、連結板７０と、端部前面風向板４１ｃと、端部背面風向板５１ｃとはそれぞれ異なる材量で構成されることが望ましいが、同じ材料で構成されてもよい。
【００６５】
図２５は、室内機１の正面方向に風を送風する際の、吹出口１２内の右側に配置された中央風向板４０ａ及び端部風向板４０ｃの状態と風の流れを示す図である。図２６は、室内機１の左方向に風を送風する際の、吹出口１２内の右側に配置された中央風向板４０ａ及び端部風向板４０ｃの状態と風の流れを示す図である。図２５及び図２６では、吹出風の流れる方向の例を破線太矢印で示している。図２５に示すように、室内機１の正面方向に風を送風する際には、中央風向板４０ａ、中央風向板４０ｂ、及び端部風向板４０ｃは吹出口１２と開口端面と垂直な位置関係、すなわち中間位置に配置される。このとき、中央前面風向板４１ａと、中央背面風向板５１ａとは、吹出風の流れる方向に一直線上に配置されている。また、中央前面風向板４１ｂと、中央背面風向板５１ｂとは、吹出風の流れる方向に一直線上に配置されている。さらに、端部前面風向板４１ｃと、端部背面風向板５１ｃとは、吹出風の流れる方向に一直線上に配置されている。中央風向板４０ａ、中央風向板４０ｂ、及び端部風向板４０ｃが、吹出口１２の開口端面と垂直な位置関係になると、吹出風が吹出口１２の開口端面と垂直な方向、すなわち、室内機１の正面方向に吹出される。
【００６６】
図２６に示すように、室内機１の左方向に風を送風する際には、中央前面風向板４１ａ、中央前面風向板４１ｂ、及び端部前面風向板４１ｃは、最大回動角まで時計回り方向に駆動される。このとき、中央前面風向板４１ｂは、時計回りに回動し、中央背面風向板５１ｂは反時計回りに回動する。また、中央前面風向板４１ｂの時計回りの回動に伴い、連結板７０が右方向に移動する。そして、連結板７０が右方向に移動に伴い、中央前面風向板４１ａは、時計回りに回動し、中央背面風向板５１ａは反時計回りに回動する。また、端部前面風向板４１ｃは、時計回りに回動し、端部背面風向板５１ｃは反時計回りに回動する。これにより、吹出口１２を通過する吹出風が、室内機１の左方向に偏向する。このとき、端部前面風向板４１ｃの回動する角度θ１ｃは、中央前面風向板４１ａの回動する角度θ１ａより小さく、端部背面風向板５１ｃの回動する角度θ２ｃは、中央背面風向板５１ａの回動する角度θ２ａより小さい。端部前面風向板４１ｃの回動する角度θ１ｃが、中央前面風向板４１ａの回動する角度θ１ａより小さいため、中央前面風向板４１ａの回動する角度θ１ａを大きくとっても、端部前面風向板４１ｃと左部枠体３０ｃとの間の距離を広く保つことができる。また、端部背面風向板５１ｃと、右部枠体３０ｄとの間の距離を広く保つことができる。さらに、端部背面風向板５１ｃの回動する角度θ２ｃは、中央背面風向板５１ａの回動する角度θ２ａより小さいため、端部背面風向板５１ｃと、中央背面風向板５１ｂとの間の距離を広く保つことができる。
【００６７】
以上のように、風向変更装置２０は、端部前面風向板４１ｃの回動する角度θ１ｃが、中央前面風向板４１ａの回動する角度θ１ａよりも小さい。そのため、風向変更装置２０は、中央前面風向板４１ａの回動する角度θ１ａを大きくとっても、端部前面風向板４１ｃと左部枠体３０ｃとの間隔を広く保つことができる。また、風向変更装置２０は、端部背面風向板５１ｃと、右部枠体３０ｄとの間隔を広く保つことができる。その結果、風向変更装置２０は、吹出風の風向を左右方向で偏向させても、枠体３０と端部前面風向板４１ｃとの間において、室内機１から吹き出される風を通しやすく、風量低下を抑制することができる。これにより、風向変更装置２０は、風量の低下による、空気調和機の空調性能の低下、風向板間又は風向板と枠体との間の風切り音による騒音の増大、風向板間又は風向板と枠体との間の結露の発生等を抑制することができる。また、室内機１の正面方向に風を送風する際には、中央前面風向板４１ａと、中央背面風向板５１ａとは、互いに屈曲せず、吹出風の方向に同一直線上に配置されている。同様に、中央前面風向板４１ｂと、中央背面風向板５１ｂとは、互いに屈曲せず、吹出風の方向に同一直線上に配置されている。同様に、端部前面風向板４１ｃと、端部背面風向板５１ｃとは、互いに屈曲せず、吹出風の方向に同一直線上に配置されている。そのため、風向変更装置２０は、各左右風向板４０間、並びに、左右風向板４０及び枠体３０の間を広く保つことができる。その結果、風向変更装置２０は、室内機１の正面方向に風を送風する際の風量の低下による、空気調和機の空調性能の低下、風向板間又は風向板と枠体との間の風切り音による騒音の増大、風向板間又は風向板と枠体との間の結露の発生等を抑制することができる。
【００６８】
また、風向変更装置２０は、端部背面風向板５１ｃの回動する角度θ２ｃが、中央背面風向板５１ａの回動する角度θ２ａより小さい。そのため、風向変更装置２０は、吹出風の風向を左右方向に偏向させても、端部背面風向板５１ｃと、中央背面風向板５１ｂとの間の距離を広く保つことができる。その結果、風向変更装置２０は、吹出風の風向を左右方向に偏向させても、端部背面風向板５１ｃと、中央背面風向板５１ｂとの間に吹出風を通しやすく、吹出風の風量低下を抑制することができる。これにより、風向変更装置２０は、吹出風の風量の低下による、空気調和機の空調性能の低下、風向板間又は風向板と枠体との間の風切り音による騒音の増大、風向板間又は風向板と枠体との間の結露の発生等を抑制することができる。
【００６９】
また、風向変更装置２０は、端部前面風向板４１ｃの回動する方向とは逆方向に回動する端部背面風向板５１ｃと、中央前面風向板４１ａの回動する方向とは逆方向に回動する中央背面風向板５１ａとを有する。風向変更装置２０は、吹出風の上流側と下流側の風向板を逆方向に２段に曲げることで、端部前面風向板４１ｃ及び中央前面風向板４１ａを大きく回動させることができる。その結果、風向変更装置２０は、吹出口を通過する吹出風の風量を低下させることなく、大きく曲げることができる。
【００７０】
また、風向変更装置２０は、端部背面風向板５１ｃが、端部前面風向板４１ｃの回動と連動して回動する。また、風向変更装置２０は、中央背面風向板５１ａが、中央前面風向板４１ａの回動と連動して回動する。風向変更装置２０は、吹出風の上流側と下流側の風向板を連動して逆方向に曲げることで、端部前面風向板４１ｃ及び中央前面風向板４１ａを大きく回動させることができる。その結果、風向変更装置２０は、吹出口を通過する吹出風の風量を低下させることなく、大きく曲げることができる。
【００７１】
また、風向変更装置２０は、距離ＬＣ１が、距離ＬＡ１よりも大きい。その結果、風向変更装置２０は、端部前面風向板４１ｃの回動する角度θ１ｃが、中央前面風向板４１ａの回動する角度θ１ａよりも小さい。そのため、風向変更装置２０は、中央前面風向板４１ａの回動する角度θ１ａを大きくとっても、端部前面風向板４１ｃと左部枠体３０ｃとの間の距離を広く保つことができる。また、風向変更装置２０は、端部背面風向板５１ｃと、右部枠体３０ｄとの間の距離を広く保つことができる。その結果、風向変更装置２０は、吹出風の風向を左右方向で偏向させても、枠体３０と端部前面風向板４１ｃとの間において、室内機１から吹き出される風を通しやすく、風量低下を抑制することができる。これにより、風向変更装置２０は、風量の低下による、空気調和機の空調性能の低下、風向板間又は風向板と枠体との間の風切り音による騒音の増大、風向板間又は風向板と枠体との間の結露の発生等を抑制することができる。
【００７２】
また、風向変更装置２０は、距離ＬＣ２が、距離ＬＡ２よりも小さい。その結果、風向変更装置２０は、端部背面風向板５１ｃの回動する角度θ２ｃが、中央背面風向板５１ａの回動する角度θ２ａよりも小さい。そのため、風向変更装置２０は、端部背面風向板５１ｃと、中央背面風向板５１ｂとの間の距離を広く保つことができる。その結果、風向変更装置２０は、吹出風の風向を左右方向で偏向させても、枠体３０と端部前面風向板４１ｃとの間において、室内機１から吹き出される風を通しやすく、風量低下を抑制することができる。これにより、風向変更装置２０は、風量の低下による、空気調和機の空調性能の低下、風向板間又は風向板と枠体との間の風切り音による騒音の増大、風向板間又は風向板と枠体との間の結露の発生等を抑制することができる。
【００７３】
また、風向変更装置２０は、連結板７０が、矩形の平板形状に形成されている長尺状の基板部７１と、基板部７１の長手方向の側縁部７１ｃから突出し、矩形の平板形状に形成されている支持部７２又は支持部７３を有する。また、風向変更装置２０は、連結板７０が、基板部７１の長手方向の一端に形成され、基板部７１の短手方向に長尺状且つ矩形の平板形状に形成されている長板支持部７４を有する。そして、基板部７１には、中央突出部４８ａ（第４回転軸）が挿入される係合穴７１ａ又は係合穴７１ａが形成され、支持部７２又は支持部７３には、軸部５６ａ（第７回転軸）が挿入される中央軸受部７２ａ又は中央軸受部７３ａが形成されている。そして、長板支持部７４には、軸部５６ｃ（第５回転軸）が挿入される前部長孔７４ａ２が形成され、かつ、中央突出部４８ｃ（第２回転軸）が挿入される後部長孔７４ａ３が形成されている。また、長板支持部７４には、長板支持部７４の長手方向に前部長孔７４ａ２及び後部長孔７４ａ３が配置されている。そのため、風向変更装置２０は、回動軸４０ｃ２（第１回転軸）と、中央突出部４８ｃ（第２回転軸）との間の距離ＬＣ１を規定することができる。また、風向変更装置２０は、中央前面風向板４１ａの回動軸４０ａ２（第３回転軸）と、連結板７０に回動自在に軸支されている中央前面風向板４１ａの中央突出部４８ａ（第４回転軸）との間の距離ＬＡ１を規定できる。また、風向変更装置２０は、端部背面風向板５１ｃの軸部５６ｃ（第５回転軸）と、端部背面風向板５１ｃの上部軸受部５４ｃ及び下部軸受部５５ｃ（第６回転軸）との間の距離ＬＣ２を規定することができる。また、風向変更装置２０は、中央背面風向板５１ａの軸部５６ａ（第７回転軸）と、中央背面風向板５１ａの上部軸受部５４ａ及び下部軸受部５５ａ（第８回転軸）との間の距離ＬＡ２を規定することができる。その結果、風向変更装置２０は、端部前面風向板４１ｃの回動する角度θ１ｃが、中央前面風向板４１ａの回動する角度θ１ａよりも小さい。そのため、風向変更装置２０は、中央前面風向板４１ａの回動する角度θ１ａを大きくとっても、端部前面風向板４１ｃと左部枠体３０ｃとの間の距離を広く保つことができる。また、風向変更装置２０は、端部背面風向板５１ｃと、右部枠体３０ｄとの間の距離を広く保つことができる。その結果、風向変更装置２０は、吹出風の風向を左右方向で偏向させても、枠体３０と端部前面風向板４１ｃとの間において、室内機１から吹き出される風を通しやすく、風量低下を抑制することができる。これにより、風向変更装置２０は、風量の低下による、空気調和機の空調性能の低下、風向板間又は風向板と枠体との間の風切り音による騒音の増大、風向板間又は風向板と枠体との間の結露の発生等を抑制することができる。また、その結果、風向変更装置２０は、端部背面風向板５１ｃの回動する角度θ２ｃが、中央背面風向板５１ａの回動する角度θ２ａよりも小さい。そのため、風向変更装置２０は、端部背面風向板５１ｃと、中央背面風向板５１ｂとの間の距離を狭めることがない。その結果、風向変更装置２０は、吹出風の風向を左右方向で偏向させても、枠体３０と端部前面風向板４１ｃとの間において、室内機１から吹��出される風を通しやすく、風量低下を抑制することができる。これにより、風向変更装置２０は、風量の低下による、空気調和機の空調性能の低下、風向板間又は風向板と枠体との間の風切り音による騒音の増大、風向板間又は風向板と枠体との間の結露の発生等を抑制することができる。
【００７４】
また、風向変更装置２０は、モータを備えている。中央前面風向板４１ｂが、モータによって回動することにより、連結板７０の移動を介して中央前面風向板４１ａ及び端部前面風向板４１ｃもまたモータによって駆動させることができる。
【００７５】
実施の形態２．
図２７は、本発明の実施の形態２に係る空気調和機１００の構成例を示す模式図である。空気調和機１００は、実施の形態１に係る風向変更装置２０を備えた室内機１を用いた空気調和機である。図１〜図２６の風向変更装置２０と同一の構成を有する部位には同一の符号を付してその説明を省略する。次に、本発明の実施の形態２として、上記実施の形態の風向変更装置２０を備えた空気調和機１００について説明する。図２７において実線の矢印は、空気調和機１００における冷房運転時の冷媒の流れを示し、点線の矢印は、空気調和機１００における暖房運転時の冷媒の流れを示す。図２７の空気調和機１００は、室外機２と、室内機１とを有し、室外機２と室内機１とは冷媒配管３００及び冷媒配管４００により配管接続されている。そして、空気調和機１００は、圧縮機２１、流路切替装置２２、室外熱交換器２３、膨張弁２４、室内熱交換器２５が冷媒配管を介して順次接続されている。空気調和機１００は、室外機２の流路切替装置２２を用いて冷媒の流れを切り換えることで、暖房運転又は冷房運転を切り換えて実現することができる。なお、図２７で示す空気調和機１００の構成は１例であり、例えば、図２７の空気調和機１００にマフラー、アキュムレータ等が設けられていてもよい。
【００７６】
室内機１は、室内熱交換器２５を有する。室内熱交換器２５は、空調対象となる空気と冷媒との熱交換を行う。室内熱交換器２５は、暖房運転時においては凝縮器として機能し、冷媒を凝縮して液化させる。また、室内熱交換器２５は、冷房運転時においては蒸発器として機能し、冷媒を蒸発させ、気化させる。室内熱交換器２５の近傍には、室内送風機２７が、室内熱交換器２５と対面するように設けられている。また、上述したように室内機１には、実施の形態１に係る風向変更装置２０が設けられている。
【００７７】
室外機２は、圧縮機２１、流路切替装置２２、室外熱交換器２３、及び膨張弁２４を有している。圧縮機２１は、吸入した冷媒を圧縮して吐出する。流路切替装置２２は、例えば四方弁であり、冷媒の流路の方向の切り換えが行われる装置である。空気調和機１００は流路切替装置２２を用いて冷媒の流れを切り換えることで、暖房運転又は冷房運転を実現することができる。室外熱交換器２３は、冷媒と空気（室外の空気）との熱交換を行う。室外熱交換器２３は、暖房運転時においては蒸発器として機能し、冷媒を蒸発させ、気化させる。また、室外熱交換器２３は、冷房運転時においては凝縮器として機能し、冷媒を凝縮して液化させる。室外熱交換器２３の近傍には送風機２６が、室外熱交換器２３と対面するように設けられている。膨張弁２４は、絞り装置（流量制御手段）であり、膨張弁２４を流れる冷媒の流量を調節することにより、膨張弁として機能し、流入してきた冷媒を減圧するものである。例えば、膨張弁２４が、電子式膨張弁等で構成された場合は、制御装置（図示せず）等の指示に基づいて開度調整が行われる。
【００７８】
次に、空気調和機１００の冷房運転動作を説明する。圧縮機２１によって圧縮され吐出された高温高圧のガス冷媒は、流路切替装置２２を経由して、室外熱交換器２３に流入する。室外熱交換器２３に流入したガス冷媒は、送風機２６により送風される外気との熱交換により凝縮し、低温の冷媒となって、室外熱交換器２３から流出する。室外熱交換器２３から流出した冷媒は、膨張弁２４によって膨張及び減圧され、低温低圧の気液二相冷媒となる。この気液二相冷媒は、室内機１の室内熱交換器２５に流入し、室内送風機２７により送風される室内空気との熱交換により蒸発し、低温低圧のガス冷媒となって室内熱交換器２５から流出する。このとき、冷媒に吸熱されて冷却された室内空気は、空調空気（吹出風）となって、室内機１の吹出口１２から室内（空調対象空間）に吹き出される。室内熱交換器２５から流出したガス冷媒は、流路切替装置２２を経由して圧縮機２１に吸入され、再び圧縮される。以上の動作が繰り返される。
【００７９】
次に、空気調和機１００の暖房運転動作を説明する。圧縮機２１によって圧縮され吐出された高温高圧のガス冷媒は、流路切替装置２２を経由して、室内機１の室内熱交換器２５に流入する。室内熱交換器２５に流入したガス冷媒は、送風機２６により送風される室内空気との熱交換により凝縮し、低温の冷媒となって、室内熱交換器２５から流出する。このとき、ガス冷媒から熱を受け取り暖められた室内空気は、空調空気（吹出風）となって、室内機１の吹出口１２から室内（空調対象空間）に吹き出される。室内熱交換器２５から流出した冷媒は、膨張弁２４によって膨張及び減圧され、低温低圧の気液二相冷媒となる。この気液二相冷媒は、室外機２の室外熱交換器２３に流入し、室内送風機２７により送風される外気との熱交換により蒸発し、低温低圧のガス冷媒となって室外熱交換器２３から流出する。室外熱交換器２３から流出したガス冷媒は、流路切替装置２２を経由して圧縮機２１に吸入され、再び圧縮される。以上の動作が繰り返される。
【００８０】
以上のように、空気調和機１００が風向変更装置２０を備えた室内機１を備えることによって、風向変更装置２０の効果を有する空気調和機１００を得ることができる。
【００８１】
本発明は、上記実施の形態に限らず種々の変形が可能である。例えば、左右風向板４０は、図３及び図４に示すように、連結板７０によって３枚一組で連結されている。しかし、左右風向板４０は、連結板７０によって３枚一組で連結される構成に限定されるのではなく、左右風向板４０は、連結板７０によって例えば４枚一組など、複数枚が一組で連結されていればよい。また、上部切欠部４３ａが側縁部４１ａ３に形成されている位置は、上縁部４１ａ１と下縁部４１ａ２との間で、上縁部４１ａ１側に形成されている構成が記載されているが、下縁部４１ａ２側に形成されていてもよい。また、下部切欠部４５ａが側縁部４１ａ３に形成されている位置は、上縁部４１ａ１と下縁部４１ａ２との間で、下縁部４１ａ２側に形成されている構成が記載されているが、上縁部４１ａ１側に形成されていてもよい。同様に、上部切欠部４３ｃが側縁部４１ｃ３に形成されている位置は、上縁部４１ｃ１と下縁部４１ｃ２との間で、上縁部４１ｃ１側に形成されている構成が記載されているが、下縁部４１ａ２側に形成されていてもよい。また、下部切欠部４５ｃが側縁部４１ａ３に形成されている位置は、上縁部４１ｃ１と下縁部４１ｃ２との間で、下縁部４１ｃ２側に形成されている構成が記載されているが、上縁部４１ｃ１側に形成されていてもよい。また、上部係合部５２ａが側縁部５１ａ３に形成されている位置は、上縁部５１ａ１と下縁部５１ａ２との間で、上縁部５１ａ１側に形成されている構成が記載されているが、下縁部５１ａ２側に形成されていてもよい。また、係合板５３ａが側縁部５１ａ３に形成されている位置は、上縁部５１ａ１と下縁部５１ａ２との間で、下縁部５１ａ２側に形成されている構成が記載されているが、上縁部５１ａ１側に形成されてもよい。同様に、上部係合部５２ｃが側縁部５１ｃ３に形成されている位置は、上縁部５１ｃ１と下縁部５１ｃ２との間で、上縁部５１ｃ１側に形成されている構成が記載されているが、下縁部５１ｃ２側に形成されていてもよい。また、係合板５３ｃが側縁部５１ｃ３に形成されている位置は、上縁部５１ｃ１と下縁部５１ｃ２との間で、下縁部５１ｃ２側に形成されている構成が記載されているが、上縁部５１ｃ１側に形成されてもよい。また、上記実施の形態では床置形の室内機１を例に挙げたが、本発明は壁掛形、天吊形、天井埋込形、天井カセット形等の他の室内機１にも適用できる。
【符号の説明】
【００８２】
１  室内機、２  室外機、１０  筐体、１１  吸込口、１２  吹出口、２０  風向変更装置、２１  圧縮機、２２  流路切替装置、２３  室外熱交換器、２４  膨張弁、２５  室内熱交換器、２６  送風機、２７  室内送風機、３０  枠体、３０ａ  上部枠体、３０ａ１  内周壁、３０ｂ  下部枠体、３０ｂ１  内周壁、３０ｃ  左部枠体、３０ｃ１  内周壁、３０ｄ  右部枠体、３１  凸部、３１ａ  凸部、３１ｂ  凸部、３１ｃ  凸部、３３  凹部、３３ａ  凹部、３３ｂ  凹部、３３ｃ  凹部、３６  凹部、３７  受部、３８  円筒部、３９  突起部、４０  左右風向板、４０ａ  中央風向板、４０ａ１  回動軸、４０ａ２  回動軸、４０ｂ  中央風向板、４０ｂ１  回動軸、４０ｂ２  回動軸、４０ｃ  端部風向板、４０ｃ１  回動軸、４０ｃ２  回動軸、４１ａ  中央前面風向板、４１ａ１  上縁部、４１ａ２  下縁部、４１ａ３  側縁部、４１ａ４  側縁部、４１ａ５  上縁部、４１ａ６  端縁部、４１ｂ  中央前面風向板、４１ｃ  端部前面風向板、４１ｃ１  上縁部、４１ｃ２  下縁部、４１ｃ３  側縁部、４１ｃ４  側縁部、４１ｃ５  上縁部、４１ｃ６  端縁部、４３ａ  上部切欠部、４３ａ１  上方突起部、４３ａ２  下方突起部、４３ｃ  上部切欠部、４３ｃ１  上方突起部、４３ｃ２  下方突起部、４４ａ  薄肉部、４４ｃ  薄肉部、４５ａ  下部切欠部、４５ａ１  上方突出部、４５ａ２  下方突出部、４５ｃ  下部切欠部、４５ｃ１  上方突出部、４５ｃ２  下方突出部、４６ａ  中央切欠部、４６ｃ  中央切欠部、４７ａ  補強板、４７ｃ  補強板、４８ａ  中央突出部、４８ａ１  中央柱部、４８ａ２  中央頭部、４８ｃ  中央突出部、４８ｃ１  中央柱部、４８ｃ２  中央頭部、４９  切欠部、５１ａ  中央背面風向板、５１ａ１  上縁部、５１ａ２  下縁部、５１ａ３  側縁部、５１ｂ  中央背面風向板、５１ｃ  端部背面風向板、５１ｃ１  上縁部、５１ｃ２  下縁部、５１ｃ３  側縁部、５１ｃ４  側縁部、５２ａ  上部係合部、５２ｃ  上部係合部、５３ａ  係合板、５３ａ１  基部、５３ａ２  先端部、５３ｃ  係合板、５３ｃ１  基部、５３ｃ２  先端部、５４ａ  上部軸受部、５４ｃ  上部軸受部、５５ａ  下部軸受部、５５ｃ  下部軸受部、５６ａ  軸部、５６ａ１  中央軸部、５６ａ２  中央頭部、５６ｃ  軸部、５６ｃ１  中央軸部、５６ｃ２  中央頭部、５７ａ  回転軸、５７ｃ  回転軸、６０  モータ、６１  制御装置、７０  連結板、７１  基板部、７１ａ  係合穴、７１ａ１  細穴、７１ｂ  係合穴、７１ｂ１  細穴、７１ｃ  側縁部、７１ｄ  側縁部、７１ｅ  一端部、７１ｆ  他端部、７２  支持部、７２ａ  中央軸受部、７２ａ１  上部穴、７２ａ２  下部穴、７２ａ２１  先端部、７２ａ３  段差部、７３  支持部、７３ａ  中央軸受部、７３ａ１  上部穴、７３ａ２  下部穴、７３ａ２１  先端部、７３ａ３  段差部、７４  長板支持部、７４ａ  長孔、７４ａ１  挿入孔、７４ａ２  前部長孔、７４ａ２１  先端部、７４ａ３  後部長孔、７４ａ３１  先端部、７４ｂ  端縁部、７４ｃ  突出板、７５  リブ部、８０  上下風向板、９０  仕切部材、１００  空気調和機、３００  冷媒配管、４００  冷媒配管。
【図１】
2019008666.tif 000003
【図２】
2019008666.tif 000004
【図３】
2019008666.tif 000005
【図４】
2019008666.tif 000006
【図５】
2019008666.tif 000007
【図６】
2019008666.tif 000008
【図７】
2019008666.tif 000009
【図８】
2019008666.tif 000010
【図９】
2019008666.tif 000011
【図１０】
2019008666.tif 000012
【図１１】
2019008666.tif 000013
【図１２】
2019008666.tif 000014
【図１３】
2019008666.tif 000015
【図１４】
2019008666.tif 000016
【図１５】
2019008666.tif 000017
【図１６】
2019008666.tif 000018
【図１７】
2019008666.tif 000019
【図１８】
2019008666.tif 000020
【図１９】
2019008666.tif 000021
【図２０】
2019008666.tif 000022
【図２１】
2019008666.tif 000023
【図２２】
2019008666.tif 000024
【図２３】
2019008666.tif 000025
【図２４】
2019008666.tif 000026
【図２５】
2019008666.tif 000027
【図２６】
2019008666.tif 000028
【図２７】
2019008666.tif 000029
【国際調査報告】
2019008666.tif 000030
2019008666.tif 000031
2019008666.tif 000032
2019008666.tif 000033